(57)【要約】【課題】  写真プリント装置において、利用者にとって違和感のない画像を出力する。【解決手段】  写真プリント装置１は、カメラユニット１２から取り込まれた撮影動画像と、上記撮影動画像に対して背景動画および／または前景動画となる装飾動画像とを合成した合成動画像をライブビュー表示パネル１４に表示させる表示制御部６２と、この合成動画像から、利用者から指示されたタイミングで静止画像を取得する静止画像取得部６３と、上記静止画像に基づいた画像をプリント紙上に出力するようにプリンタを制御する印刷制御部とを備えている。【選択図】  図１
2005192048.tif 000002
【特許請求の範囲】
【請求項１】
被写体を含んだ撮影動画像を取得する撮影手段と、上記被写体を含んだ動画像を表示する表示手段と、上記被写体を含んだ画像をプリント媒体上に出力する画像出力手段とを備える写真プリント装置であって、
上記写真プリント装置における動作を制御する制御手段を備え、
上記制御手段は、
上記撮影動画像と、上記撮影動画像に対して背景動画および／または前景動画となる装飾動画像とを合成した合成動画像を上記表示手段に表示させる表示制御手段と、
上記表示手段に表示されている合成動画像から、利用者から指示されたタイミングで静止画像を取得する静止画像取得手段と、
上記静止画像に基づいた画像をプリント媒体上に出力するように上記画像出力手段を制御する画像出力制御手段と、を含むことを特徴とする写真プリント装置。
【請求項２】
上記制御手段は、
静止画像取得手段により取得された静止画像のデータを静止画像記憶手段に記憶させる静止画像記憶制御手段を含むことを特徴とする請求項１に記載の写真プリント装置。
【請求項３】
上記制御手段は、
動画パターン記憶手段に記憶されている複数の装飾動画像から、上記撮影動画像に合成する装飾動画像を選択する装飾動画像選択手段を含むことを特徴とする請求項１または２に記載の写真プリント装置。
【請求項４】
上記装飾動画像選択手段は、入力インターフェイス手段から利用者の所望する装飾動画像を特定する情報を取得すると共に、利用者の所望する装飾動画像を選択することを特徴とする請求項３に記載の写真プリント装置。
【請求項５】
被写体を含んだ撮影動画像を取得する撮影手段と、上記被写体を含んだ動画像を表示する表示手段と、上記被写体を含んだ画像をプリント媒体上に出力する画像出力手段とを備えた写真プリント装置であって、
上記写真プリント装置における動作を制御する制御手段を備え、
上記制御手段は、
上記撮影手段により取得された撮影動画像と、背景動画および／または前景動画となる装飾動画像とを合成した合成動画像を上記表示手段に表示する表示制御手段と、
上記撮影動画像に含まれる人体領域を検出する領域検出手段と、
上記領域検出手段の出力に基づき、上記装飾動画像を変化させる装飾動画像制御手段と、を含むことを特徴とする写真プリント装置。
【請求項６】
上記装飾動画像制御手段は、
上記領域検出手段の出力に基づき、撮影手段が撮影している人体の数を算出する人数算出手段と、
上記人物算出手段の出力に応じて、撮影動画像に合成する装飾動画像の種類を変更する装飾動画像変更手段と、
を含むことを特徴とする請求項５に記載の写真プリント装置。
【請求項７】
上記装飾動画像制御手段は、
上記領域検出手段の出力に基づき、上記装飾動画像に関して、上記撮影動画像の人体領域に重ねる領域の透過率が、人体領域以外の領域に重ねる領域の透過率よりも大きくなるように制御する動画像透過度制御手段を含むことを特徴とする請求項５に記載の写真プリント装置。
【請求項８】
上記装飾動画像制御手段は、
上記領域検出手段の出力に基づき、上記装飾動画像に対して、上記撮影動画像の人体領域に重ねる領域を消去するように制御する動画消去制御手段を含むことを特徴とする請求項５に記載の写真プリント装置。
【請求項９】
上記人体領域とは、人体の顔面部分であることを特徴とする請求項５ないし８のいずれか１項に記載の写真プリント装置。
【請求項１０】
被写体を含んだ撮影動画像を取得する撮影手段と、上記被写体を含んだ動画像を表示する表示手段と、上記被写体を含んだ画像をプリント媒体上に出力する画像出力手段と、装置全体の動作を制御する制御手段とを含んだ写真プリント装置の制御方法であって、
上記制御手段が、上記撮影動画像と、上記撮影動画像に対して背景および／または前景となる装飾動画像とを合成した合成動画像を表示手段に表示するステップと、
上記制御手段が、上記表示手段に表示されている合成動画像から、利用者から指示されたタイミングで静止画像を取得するステップと、
上記制御手段が、静止画像に基づいた画像をプリント媒体上に出力するように画像出力手段を制御するステップと、を含むことを特徴とする写真プリント装置の制御方法。
【請求項１１】
被写体を含んだ撮影動画像を取得する撮影手段と、上記被写体を含んだ動画像を表示する表示手段と、上記被写体を含んだ画像をプリント媒体上に出力する画像出力手段と、装置全体の動作を制御する制御手段とを含んだ写真プリント装置の制御方法であって、
上記制御手段が、上記撮影手段により取得された撮影動画像と、背景および／または前景となる装飾動画像とを合成した合成動画像を上記表示手段に表示させるステップと、
上記制御手段が、上記撮影動画像に含まれる人体領域を検出するステップと、
上記制御手段が、人体領域の検出結果に基づいて、上記装飾動画像を変化させるステップと、を含むことを特徴とする写真プリント装置の制御方法。
【請求項１２】
請求項１ないし９のいずれか１項に記載の制御手段に含まれる機能をコンピュータで実行する写真プリント装置制御プログラム。
【請求項１３】
請求項１ないし９のいずれか１項に記載の制御手段に含まれる機能をコンピュータで実行する写真プリント装置制御プログラムを記録した記録媒体。
【発明の詳細な説明】
【技術分野】
【０００１】
本発明は、利用者の写真撮影を行うとともに、その写真を背景画像や落書き画像などと合成した上で写真プリントとして出力する写真プリント装置に関するものである。
【背景技術】
【０００２】
従来、例えばゲームセンターなどの娯楽施設において、利用者の写真撮影を行うとともに、その写真を背景画像などと合成した上でシールプリントとして出力する写真シール自動販売機が設置されており、人気を博している。
【０００３】
このような写真シール自動販売機での処理は、コイン投入、撮影処理、編集（落書き）処理、シール印刷という流れになっており、一連の操作を終了した利用者は、投入したコインに対する成果物であるシールプリントを受け取ることによってプレイを終了することになる。
【０００４】
この写真シール自動販売機には、利用者が撮影された撮影画像と、利用者が選択した装飾用フレーム（静止画）とを合成し、合成した画像を表示パネル上に表示する機能が備えられている。例えば、以下に示す特許文献１には、画面中に動画像状態で表示されているフレーム画像から、所望のタイミングの静止画像を取得し、この静止画像とカメラにより撮影されたプレーヤ画像とを合成する技術が開示されている。また、以下に示す特許文献２には、利用者が撮影されている撮影画像から取得した静止画像に対し、予め用意されている装飾用フレーム（静止画）を合成する技術が開示されている。
【０００５】
さらに、最近の写真プリント装置では、利用者を撮影した撮影動画像と利用者が選択した装飾用動画像とを合成して、この合成した動画像を利用者自身に表示することにより、装飾用動画像によって表現されるテーマ（例えば、降雪シーン）を擬似的に体験できる機能が備えられている。そのうえ、この写真シール自動販売機では、表示パネル上に表示されている合成動画像を視認している利用者が任意のタイミングを指定すると、このタイミングで上記撮影動画像から静止画像を取得し、取得した静止画像に対し、上記装飾用動画像と同一種類の装飾が施されている装飾用フレームを合成し、合成した画像をシール等のプリント媒体に印刷する処理が行なわれている。
【特許文献１】特許第２９８５８７９号公報（発行日：１９９９年１２月６日）
【特許文献２】特開平１０−２８２５７１号公報（公開日：１９９８年１０月２３日）
【発明の開示】
【発明が解決しようとする課題】
【０００６】
しかし、この写真プリント装置において、プリント媒体上に印刷される画像は、上記装飾用動画像とは別個に用意されていると共にこの装飾用動画像と同一種類の装飾が施されている装飾用フレームを、利用者が撮影されている静止画像に合成したものである。したがって、表示パネル上の動画像における利用者自身が指定したシーンを、プリント媒体上にリアルに再現できないという不都合が生じる。
【０００７】
この不都合について、以下詳細に説明する。例えば、装飾動画像が降雪シーンを表現するものである場合、上記装飾用フレームに施されている降雪模様は静止しているにも関わらず、表示パネル上に表示されている合成動画像の降雪模様は動いている。したがって、表示パネル上の合成動画像を視認している利用者が所望のタイミングを指定しても、指定したタイミングにおける降雪模様の位置、数等と、プリント媒体に印刷される降雪模様の位置、数等とは、ほとんど一致せず、上述した不都合が生じてしまう。これにより、利用者にとって違和感のある画像がプリント媒体に印刷され、顧客満足度の高いサービスを実現することができなかった。
【０００８】
また、上記写真シール自動販売機においては、撮影動画像における背景箇所だけでなく、利用者の身体箇所にまで、装飾動画像の模様を合成して表示している。したがって、上記表示パネルに表示されている合成動画像において、利用者の顔や頭が模様に隠されてしまい、利用者にとって自身の顔や頭を表示パネルから視認しづらいという不都合が生じる。これにより、利用者にとって違和感のある合成動画像が表示パネル上に表示され、顧客満足度の高いサービスを実現することができなかった。
【０００９】
さらに、上述した写真シール自動販売機において、複数の利用者を一度に撮影する場合、複数の利用者を撮影した撮影動画像と装飾動画像とを合成した合成動画像を表示パネル上に表示することとなる。この場合、利用者の人数が多いほど、画面全体に占める身体箇所の割合が増加し、利用者の顔や頭が模様に隠されてしまう部分が増え、利用者にとって自身の顔や頭を表示パネルから視認しづらいという不都合が生じる。これにより、利用者にとって違和感のある合成動画像が表示パネル上に表示され、顧客満足度の高いサービスを実現することができなかった。
【００１０】
本発明の目的は、利用者にとって違和感のない画像を出力することにより、顧客満足度の高いサービスを実現できる写真プリント装置、写真プリント装置制御方法、写真プリント装置制御プログラム、写真プリント装置制御プログラムを記録した記録媒体を提供することにある。
【課題を解決するための手段】
【００１１】
本発明の写真プリント装置は、上記目的を達成するために、被写体を含んだ撮影動画像を取得する撮影手段と、上記被写体を含んだ動画像を表示する表示手段と、上記被写体を含んだ画像をプリント媒体上に出力する画像出力手段とを備える写真プリント装置であって、上記写真プリント装置における動作を制御する制御手段を備え、上記制御手段は、上記撮影動画像と、上記撮影動画像に対して背景動画および／または前景動画となる装飾動画像とを合成した合成動画像を上記表示手段に表示させる表示制御手段と、上記表示手段に表示されている合成動画像から、利用者から指示されたタイミングで静止画像を取得する静止画像取得手段と、上記静止画像に基づいた画像をプリント媒体上に出力するように上記画像出力手段を制御する画像出力制御手段と、を含むことを特徴とする。
【００１２】
また、本発明の写真プリント装置の制御方法は、上記目的を達成するために、被写体を含んだ撮影動画像を取得する撮影手段と、上記被写体を含んだ動画像を表示する表示手段と、上記被写体を含んだ画像をプリント媒体上に出力する画像出力手段と、装置全体の動作を制御する制御手段とを含んだ写真プリント装置の制御方法であって、上記制御手段が、上記撮影動画像と、上記撮影動画像に対して背景および／または前景となる装飾動画像とを合成した合成動画像を表示手段に表示するステップと、上記制御手段が、上記表示手段に表示されている合成動画像から、利用者から指示されたタイミングで静止画像を取得するステップと、上記制御手段が、静止画像に基づいた画像をプリント媒体上に出力するように画像出力手段を制御するステップと、を含むことを特徴とする。
【００１３】
上記構成または手順によれば、撮影手段が被写体を撮影する。そして、上記撮影手段により取得された撮影動画像と、上記撮影動画像に対して背景動画および／または前景動画となる装飾動画像とを合成した合成動画像を表示手段にて表示する。ここで、上記制御手段は、上記表示手段に表示されている合成動画像から、利用者から指示されたタイミングで静止画像を取得している。したがって、利用者が所望する瞬間における合成動画像と上記静止画像とは一致したものになる。さらに、上記構成では、この静止画像に基づいた画像をプリント媒体に出力しているため、利用者が所望する瞬間における合成動画像を静止画像として、プリント媒体上にリアルに表現できる。これにより、利用者にとって違和感のない画像がプリント媒体上に出力され、顧客満足度の高いサービスを実現することができる。
【００１４】
本発明の写真プリント装置は、上記構成に加えて、上記制御手段は、静止画像取得手段により取得された静止画像のデータを静止画像記憶手段に記憶させる静止画像記憶制御手段を含むことを特徴とする。
【００１５】
上記構成によれば、上記静止画像取得手段により設定された静止画像を、一旦、静止画像記憶手段に記憶している。このように、設定された静止画像を画像出力手段にてそのまま出力するのではなく、一旦、記憶手段にて記憶させると、取得した静止画像に対し新たな画像処理、または加工を施すことができる。これにより、プリント媒体上に出力される画像に対しさらに編集処理を施し、または画質調整を行うことが可能になる。
【００１６】
本発明の写真プリント装置は、上記構成に加えて、上記制御手段は、動画パターン記憶手段に記憶されている複数の装飾動画像から、上記撮影動画像に合成する装飾動画像を選択する装飾動画像選択手段を含むことを特徴とする。
【００１７】
上記構成によれば、動画パターン記憶手段が複数の装飾動画像のデータを記憶し、装飾動画像選択手段が、上記複数の装飾動画像から、合成すべき装飾動画像を選択している。これにより、複数の装飾動画像を予め用意すると共に、装飾動画像選択手段により選択された装飾動画像のみを撮影動画像と合成することができるため、利用者は様々な装飾動画を体験することができる。
【００１８】
本発明の写真プリント装置は、上記構成に加えて、上記装飾動画像選択手段は、入力インターフェイス手段から利用者の所望する装飾動画像を特定する情報を取得すると共に、利用者の所望する装飾動画像を選択することを特徴とする。
【００１９】
上記構成によれば、上記入力インターフェイス手段は、利用者の所望する装飾動画像に関する情報を入力する。さらに、上記装飾動画像選択手段は、上記入力インターフェイス手段から、利用者の所望する装飾動画像を特定する情報を取得しているため、利用者の所望する装飾動画像を選択することができる。これにより、上記表示制御手段は、利用者の所望する装飾動画像と上記撮影動画像とを合成して表示手段に表示することになる。よって、複数の装飾動画像が用意されている場合であっても、利用者の所望する装飾動画像を表示することができる。
【００２０】
本発明の写真プリント装置は、上記目的を達成するために、被写体を含んだ撮影動画像を取得する撮影手段と、上記被写体を含んだ動画像を表示する表示手段と、上記被写体を含んだ画像をプリント媒体上に出力する画像出力手段とを備えた写真プリント装置であって、上記写真プリント装置における動作を制御する制御手段を備え、上記制御手段は、上記撮影手段により取得された撮影動画像と、背景動画および／または前景動画となる装飾動画像とを合成した合成動画像を上記表示手段に表示する表示制御手段と、上記撮影動画像に含まれる人体領域を検出する領域検出手段と、上記領域検出手段の出力に基づき、上記装飾動画像を変化させる装飾動画像制御手段と、を含むことを特徴とする。
【００２１】
本発明の写真プリント装置の制御方法は、上記目的を達成するために、被写体を含んだ撮影動画像を取得する撮影手段と、上記被写体を含んだ動画像を表示する表示手段と、上記被写体を含んだ画像をプリント媒体上に出力する画像出力手段と、装置全体の動作を制御する制御手段とを含んだ写真プリント装置の制御方法であって、上記制御手段が、上記撮影手段により取得された撮影動画像と、背景および／または前景となる装飾動画像とを合成した合成動画像を上記表示手段に表示させるステップと、上記制御手段が、上記撮影動画像に含まれる人体領域を検出するステップと、上記制御手段が、人体領域の検出結果に基づいて、上記装飾動画像を変化させるステップと、を含むことを特徴とする。
【００２２】
上記構成または手順によれば、撮影手段が被写体を撮影すると共に、上記撮影手段により取得された撮影動画像と、上記撮影動画像に対して背景動画および／または前景動画となる装飾動画像とを合成した合成動画像を表示手段にて表示する。さらに、制御手段が、上記撮影動画像に含まれる人体領域を検出し、上記領域検出手段の出力に基づき、上記装飾動画像を変化させている。つまり、撮影動画像に人物画像が含まれると、撮影動画像に合成する装飾動画像を自動的に変更できる。したがって、表示手段における合成動画像に人物画像が含まれる場合、合成動画像において人物像をより明確に表示できるような装飾動画像を自動選択するように制御できる。これにより、利用者にとって違和感のない合成動画像を表示手段に表示でき、顧客満足度の高いサービスを実現することが可能となる。
【００２３】
本発明の写真プリント装置は、上記構成に加えて、上記装飾動画像制御手段は、上記領域検出手段の出力に基づき、撮影手段が撮影している人体の数を算出する人数算出手段と、上記人物算出手段の出力に応じて、撮影動画像に合成する装飾動画像の種類を変更する装飾動画像変更手段と、を含むことを特徴とする。
【００２４】
上記構成によれば、上記人数算出手段が、上記領域検出手段の出力に基づき、撮影手段が撮影している人体の数を算出している。そして、装飾動画像変更手段が、上記人物算出手段の出力に応じて上記装飾動画像の種類を選択する。これにより、撮影動画像に人体が含まれる場合のみならず、撮影される被写体の人数に応じて、撮影動画像に合成する装飾動画像を自動的に変更することが可能となる。
【００２５】
撮影される被写体が複数の人間である場合、表示手段に表示される人数も複数となり、表示されている人間全員の顔を明確に表示させるためには、装飾模様が少ないまたは小さい装飾動画像を使用して合成動画像を作成することが好ましい。このような場合でも、上記構成によれば、撮影される被写体の人数に応じて上記装飾動画像を自動的に変更でき、表示される人数に適した装飾動画像を用いて合成動画像を作成できる。これにより、表示されている人間全員の顔を明確に表示させることが可能となる。
【００２６】
本発明の写真プリント装置は、上記構成に加えて、上記装飾動画像制御手段は、上記領域検出手段の出力に基づき、上記装飾動画像に関して、上記撮影動画像の人体領域に重ねる領域の透過率が、人体領域以外の領域に重ねる領域の透過率よりも大きくなるように制御する動画像透過度制御手段を含むことを特徴とする。
【００２７】
上記構成によれば、上記動画像透過度制御手段は、上記装飾動画像に関して、上記撮影動画像の人体領域に重ねる領域の透過率が、人体領域以外の領域に重ねる領域の透過率よりも大きくなるように制御している。つまり、表示手段に表示される合成動画像における人体領域に重なる装飾の透過率が向上するように、合成すべき装飾動画像を変更している。これにより、人体領域に装飾が重なっているとしても、人体領域上の装飾の透明度を向上させた合成動画像を表示でき、上記装飾により人体領域が隠れて表示されることを抑制できる。
【００２８】
本発明の写真プリント装置は、上記構成に加えて、上記装飾動画像制御手段は、上記領域検出手段の出力に基づき、上記装飾動画像に対して、上記撮影動画像の人体領域に重ねる領域を消去するように制御する動画消去制御手段を含むことを特徴とする。
【００２９】
上記構成によれば、動画消去制御手段は、上記領域検出手段の出力に基づき、上記撮影動画像の人体領域に重ねる領域を消去するように制御している。つまり、上記撮影動画像の人体領域を避けて、上記装飾動画像が上記撮影動画像に合成される。したがって、表示手段に表示される人体領域を明確にでき、利用者にとって違和感のない合成動画像を表示手段に表示でき、顧客満足度の高いサービスを実現することが可能となる。
【００３０】
本発明の写真プリント装置は、上記構成に加えて、上記人体領域とは、人体の顔面部分であることを特徴とする。
【００３１】
写真プリント装置の表示手段において、最も明確に表示されていなければならないものは、人体の顔面部分である。したがって、領域検出手段による検出対象を人体の顔面部分とすれば、人体の顔面を表示手段上に明確に表示できる。
【００３２】
本発明の写真プリント装置制御プログラムは、上記目的を達成するために、上記制御手段に含まれる機能をコンピュータで実行することを特徴とする。
【００３３】
本発明の写真プリント装置制御プログラムを記録した記録媒体は、上記目的を達成するために、上記制御手段に含まれる機能をコンピュータで実行することを特徴とする。
【発明の効果】
【００３４】
本発明の写真プリント装置は、以上のように、写真プリント装置における動作を制御する制御手段を備え、上記制御手段は、上記撮影動画像と、上記撮影動画像に対して背景動画および／または前景動画となる装飾動画像とを合成した合成動画像を上記表示手段に表示させる表示制御手段と、上記表示手段に表示されている合成動画像から、利用者から指示されたタイミングで静止画像を取得する静止画像取得手段と、上記静止画像に基づいた画像をプリント媒体上に出力するように上記画像出力手段を制御する画像出力制御手段と、を含むことを特徴とする。
【００３５】
また、本発明の写真プリント装置の制御方法は、以上のように、上記撮影動画像と、上記撮影動画像に対して背景および／または前景となる装飾動画像とを合成した合成動画像を表示手段に表示するステップと、上記制御手段が、上記表示手段に表示されている合成動画像から、利用者から指示されたタイミングで静止画像を取得するステップと、上記制御手段が、静止画像に基づいた画像をプリント媒体上に出力するように画像出力手段を制御するステップと、を含むことを特徴とする。
【００３６】
それゆえ、利用者が所望する瞬間における合成動画像を静止画像として、プリント媒体上にリアルに表現できる。これにより、利用者にとって違和感のない画像がプリント媒体上に出力され、顧客満足度の高いサービスを実現できるという効果を奏する。
【００３７】
また、本発明の写真プリント装置は、以上のように、上記写真プリント装置における動作を制御する制御手段を備え、上記制御手段は、上記撮影手段により取得された撮影動画像と、背景動画および／または前景動画となる装飾動画像とを合成した合成動画像を上記表示手段に表示する表示制御手段と、上記撮影動画像に含まれる人体領域を検出する領域検出手段と、上記領域検出手段の出力に基づき、上記装飾動画像を変化させる装飾動画像制御手段と、を含むことを特徴とする。
【００３８】
本発明の写真プリント装置の制御方法は、以上のように、上記撮影手段により取得された撮影動画像と、背景および／または前景となる装飾動画像とを合成した合成動画像を上記表示手段に表示させるステップと、上記制御手段が、上記撮影動画像に含まれる人体領域を検出するステップと、上記制御手段が、人体領域の検出結果に基づいて、上記装飾動画像を変化させるステップと、を含むことを特徴とする。
【００３９】
それゆえ、表示手段における合成動画像に人物画像が含まれる場合、合成動画像において人物像をより明確に表示できるような装飾動画像を自動選択するように制御できる。これにより、利用者にとって違和感のない合成動画像を表示手段に表示でき、顧客満足度の高いサービスを実現できるという効果を奏する。
【発明を実施するための最良の形態】
【００４０】
〔実施の形態１〕
本発明の実施の一形態について図面に基づいて、以下のとおりである。
【００４１】
本実施の形態に係る写真プリント装置は、利用者の写真を撮影する機能、撮影した写真に対して落書きなどの編集を利用者に行わせる機能、編集された画像をプリントする機能、印刷待機状態の利用者にサービスを提供するお楽しみ機能を備えているものである。なお、これらの機能は全て必須であるものではなく、利用者の写真を撮影する機能以外の機能が省かれた構成とすることも可能である。
【００４２】
（写真プリント装置の外観的説明）
まず、写真プリント装置の外観について説明する。図２（ａ）は、写真プリント装置１の側面図であり、図２（ｂ）は、写真プリント装置１の上面図であり、図２（ｃ）は写真プリント装置１の斜視図である。
【００４３】
図２（ａ）（ｂ）（ｃ）に示すように、写真プリント装置１は、大略的に、互いに対向配置される装置本体２と背景ユニット３とから構成され、装置本体２と背景ユニット３との間には撮影空間Ｒ１が配されている。また、装置本体２における撮影空間Ｒ１と対向する側には編集空間Ｒ２が配されている。さらに、装置本体２における側面には、お楽しみ空間Ｒ３が配されている。
【００４４】
なお、撮影空間Ｒ１および編集空間Ｒ２の外周には、遮光性を有するビニールシートなどから構成される周囲幕（図２（ａ）（ｃ）の一点鎖線）が設けられている。この周囲幕によって、撮影時に外部からの光が撮影領域に入ってくることを防止することが可能となり、より良好な撮影を行うことが可能となる。また、この周囲幕によって、撮影処理中および落書き処理中に照明や音声による演出が効果的になるとともに、外部からののぞき見等を防いでプライバシーを保護することが可能となる。
【００４５】
また、図２（ａ）の参照符３２に示すように、写真プリント装置１の撮影空間Ｒ１への入り口付近において、外部に向かって撮影中であることを示す点灯手段が備えられている。これにより、ある利用者が撮影空間Ｒ１において写真撮影している時に、異なる利用者が撮影空間Ｒ１に入場するという事態を抑制することができる。
【００４６】
次に、装置本体２の構成について説明する。図３は、装置本体２の撮影空間Ｒ１側の面と、お楽しみ空間Ｒ３側の面とを示した斜視図である。図４は、装置本体２の編集空間Ｒ２側の面を示した斜視図である。
【００４７】
図３に示すように、装置本体２には、撮影空間Ｒ１側において、カメラユニット（撮影手段）１２、撮影処理用タッチパネル（表示手段）１３、ライブビュー表示パネル（表示手段）１４、コイン投入口１５、コイン返却口１６、照明装置１７ａ・１７ｂ、フロントスピーカ１８ａ・１８ｂ、荷物置きスペース３８が設けられている。加えて、図３に示すように、装置本体２には、お楽しみ空間側において、お楽しみ用タッチパネル３０、プリント排出口３１が設けられている。
【００４８】
また、図４に示すように、装置本体２には、編集空間Ｒ２側において、編集処理用タッチパネル２１・２１、タッチペン２２・２２、天井照明装置１７ｃ、リアスピーカ１８ｃ、荷物フック３９が設けられている。
【００４９】
カメラユニット１２は、利用者（被写体）を撮影する。カメラユニット１２は、内部に例えばレンズ群、絞り、ＣＣＤ（charge coupled device）撮像素子などを備えたデジタルカメラを搭載している。また、カメラユニット１２は、全身撮影やアップ撮影等の複数の撮影方法に対応できるように、ズーム、絞り、フィルタ等を切り替え可能に構成されてもよい。また、カメラユニット１２は、垂直に設けられたレールによって昇降自在に取り付けることにより、利用者の指示等に応じて最適な高さに設置できる構成としてもよい。
【００５０】
ライブビュー表示パネル１４は、カメラユニット１２の近隣（図３では下部）に設けられており、カメラユニット１２に向かって撮影ポーズをとる利用者に対し、ライブビューを表示するための表示パネルである。具体的に、ライブビュー表示パネル１４は、利用者に対して、カメラユニット１２に撮影されている利用者を含んだ撮影動画像と、この撮影動画像に対し前影または背景となる装飾用動画像とを合成して、この合成した動画像（ライブビュー画像）を利用者自身に表示している。
【００５１】
これにより、カメラユニットに向かって撮影ポーズをとる利用者は、リアルタイムで自身の姿を視認することができ、自身のポーズを確認しながら、撮影処理を行うことができる。また、撮影中の利用者は、装飾動画像によって装飾された自身の姿を視認できるため、装飾動画像によって表現されるテーマを擬似的に体験できる。例えば、装飾動画像によって表現されるテーマとしては、図５に示すように、「風船」「シャボン玉」「キラキラ」「海の中」等があり、利用者を撮影した撮影動画像と、各テーマに基づいた装飾が施されている装飾動画像とを合成すれば、各テーマに基づいた装飾が施されたライブビューを表示できる。
【００５２】
なお、ライブビュー表示パネル１４は、液晶表示素子などのフラットパネルディスプレイやＣＲＴ（cathode ray tube）等の表示パネルから構成される。
【００５３】
撮影処理用タッチパネル１３、編集処理用タッチパネル２１、お楽しみ用タッチパネル３０は、例えば液晶表示素子などのフラットパネルディスプレイやＣＲＴ等の表示面にタッチセンサを設けて構成されている。
【００５４】
撮影処理用タッチパネル１３は、撮影空間Ｒ１側に設けられており、撮影処理における各種メッセージや画像などを表示する。具体的には、撮影処理用タッチパネル１３には、デモ画面、オープニング画面、課金処理指示画面、撮影処理における各種操作内容、撮影時の撮影画面などが表示される。また、この撮影処理用タッチパネル１３にも上述したライブビューを表示してもよい。
【００５５】
編集処理用タッチパネル２１は、編集空間Ｒ２側に設けられており、落書きなどの編集処理における各種メッセージや画像などを表示する。具体的には、編集処理用タッチパネル２１には、落書きなどの画像編集処理時における編集対象の画像および各種編集ツールなどが表示される。
【００５６】
そして、編集処理用タッチパネル２１の近傍（図４では編集処理用タッチパネル２１の横）には、タッチペン２２が備えられている。利用者は、このタッチペン２２を編集処理用タッチパネル２１に接触させることによって、処理の進行に応じて表示されるボタンを選択したり、落書きなどの画像描画を行ったりすることが可能となる。
【００５７】
ここで、図４に示すように、装置本体２には、編集処理用タッチパネル２１およびタッチペン２２が２組並設されている。これにより、２つの編集処理用タッチパネル２１・２１にそれぞれに表示された撮影画像に、２人の利用者が同時に落書き処理などを入力することができる。なお、編集処理用タッチパネル２１・２１には、異なる画像をそれぞれ表示させることができ、利用者は、別々の画像に対して落書き処理などを入力することもできる。また、落書き処理において、一方の編集処理用タッチパネル２１から入力された落書き処理を他方の編集処理用タッチパネル２１に反映される反映処理や落書き可能範囲を制限する処理などが行われるようになっていてもよい。
【００５８】
お楽しみ用タッチパネル３０は、お楽しみ空間Ｒ３側に設けられており、プリント終了を待つ利用者に対して各種情報を表示することによりアミューズメントを提供する。これにより、利用者は、編集処理終了後、プリント紙が排出されるまでの時間を有効活用できる。
【００５９】
なお、お楽しみ用タッチパネル３０に表示する各種情報として、例えば、コマーシャル、ゲーム、アンケート等がある。また、お楽しみ用タッチパネル３０におけるゲームをクリアした利用者や、アンケートに答えた利用者に対し、景品を提供するようにしてもよい。また、お楽しみ用タッチパネル３０からインターネットに接続できる構成にしてもよい。
【００６０】
コイン投入口１５は、利用者がプレイ料金として所定金額のコインを投入するための投入口である。また、コイン返却口１６は、釣り銭が生じた場合や、コインが投入された後でリセットされた場合に、コインを利用者に対して返却するための返却口である。また、装置本体２の内部には、利用者から徴収したコインを蓄積するコイン容器（図示せず）が設けられている。
【００６１】
プリント排出口３１は、撮影処理および編集処理を終えた後に、プリントされたプリント紙が排出される箇所である。このプリント排出口３１は、装置本体２におけるお楽しみ空間Ｒ３側に配置されており、編集作業を終了し、お楽しみ空間Ｒ３においてゲーム等を満喫している利用者は、このプリント排出口３１から写真プリントを取り出すことになる（図３）。
【００６２】
撮影空間Ｒ１の照明装置１７ａ・１７ｂは、撮影時にフラッシュとして機能するとともに、通常時の照明として機能する照明手段であり、ストロボ光源、蛍光管を備えた構成となっている。なお、上記ストロボ光源は、写真撮影の瞬間に強い光を発するための撮影時発光手段に相当するものであり、ストロボ管が発光することによって光を発するようになっている。また、上記蛍光管は、定常的に発光するための定常発光手段に相当するものである。
【００６３】
フロントスピーカ１８ａ、１８ｂ、リアスピーカ１８ｃ（以降、これらを総称してスピーカ１８と称する）は、利用者に対して，各種操作上のガイダンス音声、効果音、ＢＧＭ（back ground music）などを出力するものである。なお、図４によれば、リアスピーカ１８ｃは、装置本体２における編集筐体２３の一方の側面のみに図示されているが、リアスピーカ１８ｃの他に、編集筐体２３の他方の側面においてもリアスピーカ（不図示）が備えられている。
【００６４】
荷物置きスペース３８は、撮影空間Ｒ１において、利用者が荷物を置くためのスペースであり、荷物フック３９は、編集空間Ｒ２において、利用者が荷物をかけるためのフックである。なお、荷物置きスペース３８および荷物フック３９に、例えば重量センサなどを設けた構成としてもよい。この場合、利用者がこの荷物置きスペース３８に荷物を置いたり、荷物フック３９に荷物をかけたりすると、荷物が置かれたことを装置側で認識することが可能となる。よって、例えば撮影や編集終了後、所定の時間が経過した後も荷物が置かれた状態となっている場合には、利用者が荷物を忘れていることが予想されるので、利用者に対して荷物の置き忘れの警報を発することが可能となる。
【００６５】
つぎに、図２を参照して、背景ユニット３について説明する。背景ユニット３は、撮影処理時において、利用者の背景となるカーテンを切り替えたりする処理を行う装置である。背景ユニット３は、撮影の背景となるカーテン３５、背景ライト３６を有している。
【００６６】
背景ユニット３は、例えば様々な色、あるいは様々な絵柄や模様のカーテン３５を複数枚背景となる位置に用意しておき、これらを切り替えることによって、利用者の好みに応じたカーテンを背景とすることが可能となっている。このカーテンは、モータによって機械制御によって切り替え可能な、つまりモータ式、となっていてもよいし、利用者がめくったりスライドさせたりすることによって切り替え可能な、つまり手動式になっていてもよい。なお、このカーテンは、遮光性を有さない材料から構成されているものとする。
【００６７】
背景ライト３６は、カーテン３５に対し、利用者とは反対の側から、つまり撮影空間Ｒ１に向かって、光を照射する。この背景ライト３６は、光照射により、カーテン３５の一部の領域の照度を変化させるように構成される。このような、背景ライト３６からの光照射により、カーテン３５にグラデーションをつけることができる。
【００６８】
以上の写真プリント装置１では、図７に示すように、次の流れに従ってサービスが提供される。1)利用者が撮影空間Ｒ１へ入り、撮影処理を行う。2)利用者が編集空間Ｒ２へ移動して、落書きなどの編集処理を行い、印刷する。3)利用者がお楽しみ空間Ｒ３に移動して、ゲーム等を楽しみながらプリント紙の排出を待って、プリント紙を受け取る。
【００６９】
このような構成の写真プリント装置１によれば、撮影処理を行う撮影空間Ｒ１と、編集処理を行う編集空間Ｒ２と、印刷待機中の利用者にアミューズメントを提供するお楽しみ空間Ｒ３とが分離されているため、撮影空間Ｒ１と編集空間Ｒ２とお楽しみ空間Ｒ３とにおいて三重に接客することが可能となり、利用者の回転率を高めることが可能となっている。
【００７０】
（写真プリント装置１における機能的説明）
次に、上記写真プリント装置１の機能的な構成について、図８に示すブロック図を参照しながら説明する。同図に示すように、写真プリント装置１は、前記した編集処理用タッチパネル２１、撮影処理用タッチパネル１３、お楽しみ用タッチパネル３０、ライブビュー表示パネル１４、カメラユニット１２に加えて、制御装置（制御手段）４１、電源装置４２、課金処理部４３、照明装置４４、ＩＤタグリーダ／ライタ４５、プリンタ（画像出力手段）４６を備えている。
【００７１】
制御装置４１は、写真プリント装置１内における上述した各種構成の動作を統括的に制御するものである。この制御装置４１は、例えばＰＣベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置４１がインターネットなどの通信ネットワークに接続された構成とする場合、この通信ネットワークを介して上記プログラムをダウンロードしてハードディスクなどにインストールして実行する形態なども考えられる。
【００７２】
電源装置４２は、写真プリント装置１内における上述した各種構成に対して電力供給を行うためのものである。
【００７３】
課金処理部４３は、コイン投入口１５からの代金投入、およびコイン返却口１６におけるコイン返却処理などを制御するものであり、利用者から徴収する課金に関する処理を行うブロックである。課金処理部４３による課金状況に応じて、制御装置４１が該当利用者に対する動作を制御する。
【００７４】
照明装置４４は、前記した照明装置１７ａ・１７ｂ、天井照明装置１７ｃ、背景ライト３６などに相当するものであり、撮影時にフラッシュとして機能したり、通常時の照明としても機能したりするものである。制御装置４１は、照明装置４４に対して、写真撮影の瞬間にフラッシュ照明を行わせるなどの制御を行う。
【００７５】
ＩＤタグリーダ／ライタ４５およびプリンタ４６は、プリンタユニットを構成しており、このプリンタユニットに対して、写真プリントの出力媒体となるプリント紙（プリント媒体）４８およびＩＤタグ（識別媒体）４７がプリント紙ユニット（プリント媒体ユニット）４９としてセットで納入されるようになっている。
【００７６】
なお、プリント紙４８としては、通常の紙状媒体である紙状シートであってもよいし、粘着シートおよび該粘着シールの粘着面に貼り付けられている剥離シートからなるシールシートであってもよい。
【００７７】
プリンタ４６は、印刷すべき静止画像のデータが制御装置４１から送られてくると、その画像データに基づいてプリント紙４８に印刷を行うものである。このプリンタ４６としては、例えば昇華型プリンタが用いられる。なお、昇華型プリンタを用いる場合には、プリント紙４８およびＩＤタグ４７に加えて、昇華型用インクフィルムがセットになって納入されることになる。
【００７８】
ＩＤタグリーダ／ライタ４５は、ＩＤタグ４７に記録されている各種識別情報を読み出して制御装置４１に出力する。ＩＤタグ４７は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００７９】
ＩＤタグ４７としては、無線によりデータ通信を行うことが可能な非接触型ＩＤタグと、端子が設けられた接触型ＩＤタグとがあり、ＩＤタグリーダ／ライタ４５としては、これらのどちらか一方あるいは両方に対応したものとなる。
【００８０】
また、制御装置４１は、撮影画像処理部５０、編集画像処理部５１、記憶部５２、印刷制御部（画像出力制御手段）５３を備えている。
【００８１】
撮影画像処理部５０は、カメラユニット１２からリアルタイムで取り込まれている撮影動画像と、この撮影動画像に対し背景動画・前景動画となる装飾動画像とを合成し、合成した合成動画像をライブビュー表示パネル１４および撮影処理用タッチパネル１３に表示する処理を行うブロックである。また、撮影画像処理部５０は、写真撮影処理を行うブロックでもある。その詳細は後に説明する。
【００８２】
編集画像処理部５１は、撮影画像処理部５０にて写真撮影された画像に対し、利用者が落書きなどの編集処理を行う場合の制御を行うブロックである。
【００８３】
なお、撮影画像処理部５０および編集画像処理部５１は、上記したように、それぞれ相当する処理を行うプログラムをコンピュータが実行することによって実現されるものである。
【００８４】
記憶部５２は、上記したハードディスクなどの不揮発性の記憶装置によって構成されるものである。この記憶部５２に記憶される内容としては、上記した制御プログラム、ＯＳ(Operating System)プログラム、およびその他各種プログラム、撮影カメラにおける動作設定値、後述する全体マップに関する画像情報、撮影した画像および編集した画像の画像データなどが挙げられる。上記の撮影カメラにおける動作設定値としては、装置出荷時やメンテナンス時などに設定されるホワイトバランスの値、撮影画像の明暗などを調整する際の画像処理に関する各種パラメータ値などが挙げられる。
【００８５】
印刷制御部５３は、一旦記憶部５２に記憶されている印刷すべき画像データを、プリンタ４６の形式に適合した画像データに変換し、この変換した画像データをプリンタ４６に出力し、プリント制御を行うブロックである。また、印刷制御部５３は、ＩＤタグリーダ／ライタ４５で読みとった識別情報に基づいて、装着されたプリント紙４８およびインクフィルムが、当該写真プリント装置１において利用可能なものであるかを判定し、利用可能である場合にのみプリンタ４６を動作させる制御を行う。すなわち、写真プリント装置１において指定されているプリント紙およびインクフィルム以外は使用できないように設定されていることになる。
【００８６】
また、印刷制御部５３は、ＩＤタグ４７に記録されている用紙枚数情報に基づいて、プリント紙を使用するごとに用紙枚数をカウントダウンしていくことによって、残りの用紙枚数を把握する。よって、残りの用紙枚数が少なくなってきた際に、これを表示手段などによって警告するような構成としておけば、利用者の利用中に用紙切れを起こすというような不具合を回避することが可能となる。なお、印刷制御部５３は、用紙枚数をカウントダウンする際には、ＩＤタグ４７に記録されている用紙枚数情報も書き換えるようにする。これにより、用紙を使い切った場合には、ＩＤタグ４７に記録されている用紙枚数情報も０となり、このＩＤタグ４７を無効にすることが可能となる。
【００８７】
また、印刷制御部５３は、ＩＤタグ４７に記録されている用紙種類情報や、インク固有の色情報を読み出すことによって、これらを考慮して画像データの色成分などを補正することにより、その用紙やインクフィルムに的確な画像出力を行うこと処理を行うこともできる。
【００８８】
なお、上記の例では、ＩＤタグを利用して利用可能なプリント紙であるか否かを確認するようになっているが、これに限定するものではなく、例えば、プリント紙およびインクフィルムを梱包する梱包材などにプリントされているバーコードなどを利用して確認するような構成としてもよい。しかしながら、バーコードを用いる場合には、含めることのできる情報量が少ないことや、例えば用紙枚数のカウントダウンによる情報の書き換えができない、などの問題がある。
【００８９】
（撮影画像処理部５０における機能的説明）
次に、撮影画像処理部５０の詳細な構成について、図１に示すブロック図を参照しながら説明する。なお、以下では、記憶部５２、撮影処理用タッチパネル１３についても、撮影画像処理部５０と関連する機能のみ説明する。
【００９０】
撮影画像処理部５０は、動画選択部６１、表示制御部６２、静止画像取得部６３、静止画像記憶制御部６４を備えている。また、記憶部５２は、動画パターン記憶部６５、静止画像記憶部６６を備えている。撮影処理用タッチパネル１３は、表示部１３ａ、操作部１３ｂを備えている。
【００９１】
動画パターン記憶部（動画パターン記憶手段）６５は、記憶部５２内における一部の記憶領域であり、この記憶領域には装飾動画像に関するデータが記憶されている。なお、記憶されている装飾動画像に関するデータは複数ある。例えば、「風船」「しゃぼん玉」「キラキラ」「海の中」「草原」「花びら」「水滴」等のテーマを表現するための装飾動画像のデータが、テーマごとに記憶されている。
【００９２】
表示制御部（表示制御手段）６２は、カメラユニット１２により取り込まれた撮影動画像と、動画パターン記憶部６５から取得した装飾動画像とを合成して合成動画像を生成し、この合成動画像を表示部１３ａおよびライブビュー表示パネル１４に表示するブロックである。また、表示制御部６２は、撮影処理用タッチパネル１３の表示制御も行っている。
【００９３】
動画選択部（装飾動画像選択手段）６１は、利用者の所望する装飾動画像を特定する情報を操作部１３ｂから取得する。そして、動画選択部６１は、この情報に対応した装飾動画像のデータを動画パターン記憶部６５から読み出す制御を行う。なお、読み出された装飾動画像のデータは図示しない揮発性メモリに書き込まれる。
【００９４】
静止画像取得部（静止画像取得手段）６３は、利用者が指示する写真撮影のタイミングを操作部１３ｂから検知すると共に、ライブビュー表示パネル１４または表示部１３ａに表示されている合成動画像から、このタイミングで静止画像を取得するブロックである。
【００９５】
静止画像記憶制御部（静止画像記憶制御手段）６４は、静止画像取得部６３により取得された静止画像を静止画像記憶部６６に書き込む制御を行うためのブロックである。
【００９６】
静止画像記憶部（静止画像記憶手段）６６は、記憶部５２内における一部の記憶領域であり、この記憶領域には静止画像取得部６３により取得された静止画像のデータが記憶される。
【００９７】
表示部（表示手段）１３ａは、撮影処理用タッチパネル１３における表示領域であり、上述したように撮影処理における各種メッセージや画像などを表示する。
【００９８】
操作部（入力インターフェイス手段）１３ｂは、撮影処理用タッチパネル１３における利用者の操作領域である。具体的には、利用者が撮影処理用タッチパネル１３に接触することにより、処理の進行に応じて表示される項目を選択したり、ライブビュー表示パネル１４または表示部１３ａに表示されている合成動画像（ライブビュー）から所望のタイミングの静止画像を取得するタイミングを決定する。
【００９９】
つぎに、撮影画像処理部５０による処理の流れを図９のフローチャートに基づいて説明する。なお、図９に示すステップ１（以降、Ｓ１のように称する）からＳ６が実行されている間、カメラユニット１２は、撮影空間Ｒ１上に位置する利用者を撮影し続けているものとする。さらに、この間、カメラユニット１２により取得されている撮影動画像のデータは、図示しない揮発性メモリにリアルタイムで書き込まれているものとする。
【０１００】
まず、表示制御部６２は、利用者が装飾動画像を選択するために必要な情報を撮影処理用タッチパネル１３に表示する（Ｓ１）。この必要な情報とは、予め用意されている各装飾動画像の題目（テーマ）を示したメニュー、ライブビューに使用する装飾動画像の選択を促すメッセージ、所望の題目を選択するためのカーソル等である。
【０１０１】
ここで、利用者は、撮影処理用タッチパネル１３に表示されている各装飾動画像のテーマから、ライブビューに使用する装飾動画像のテーマを選択する。これにより、撮影処理用タッチパネル１３の操作部１３ｂは、利用者が所望する装飾動画像を特定する識別情報を入力することができる。なお、この選択は、利用者が、所望の装飾動画像のメニューを表示する部分に接触したり、または、カーソル移動によって行われる。
【０１０２】
つぎに、撮影処理用タッチパネル１３の操作部１３ｂは、動画選択部６１に対し、上記識別情報を送る。ここで、動画選択部６１は、利用者の所望する装飾動画像を特定する識別情報を取得すると（Ｓ２，Ｙｅｓ）、この識別情報に基づいて、ライブビューに使用する装飾動画像のデータを、動画パターン記憶部６５から読み出す（Ｓ３）。つまり、撮影画像処理部５０は、動画パターン記憶部６５に記憶されている複数の装飾動画像から、撮影動画像に対して合成される装飾動画像のみを読み出し、この装飾動画像のデータを図示しない揮発性メモリに書き込むことになる。なお、動画選択部６１が利用者の所望する装飾動画像を特定する情報を取得しない場合、Ｓ１〜Ｓ２が繰り返される。
【０１０３】
そして、表示制御部６２は、動画選択部６１に読み出された装飾動画像のデータと、カメラユニット１２により取り込まれている撮影動画像のデータと合成して、合成した動画像をライブビュー表示パネル１４および表示部１３ａに表示する（Ｓ４）。これにより、利用者に対して、利用者像の周囲に装飾が施された合成動画像（ライブビュー）を表示することができ、利用者は、この装飾によって表現されるテーマを擬似的に体験できる。
【０１０４】
例えば、図５に示すような合成動画像がライブビュー表示パネル１４から表示され、風船の世界、シャボン玉の世界、キラキラの世界、海の中等のテーマを疑似体験できる。また、合成動画像の表示時において、フロントスピーカ１８ａ・１８ｂから各テーマに応じたＢＧＭを流すと、利用者に対し、よりリアルな疑似の世界を提供することができる。
【０１０５】
また、Ｓ４において、撮影処理用タッチパネル１３には、利用者が合成動画像から静止画像を取得するタイミング（写真撮影のタイミング）を決定するための撮影ボタンが表示されている。これにより、利用者は、ライブビュー表示パネル１４に表示されている自身の姿を確認しながら、上記撮影ボタンに触れることで、所望する瞬間における合成動画像を指定することができる。
【０１０６】
ここで、利用者が撮影ボタンをタッチすると、操作部１３ｂは、写真撮影のタイミングを示す識別情報を取得し、この識別情報を静止画像取得部６３に送る。静止画像取得部６３は、この識別情報を取得した場合（Ｓ５，Ｙｅｓ）、この識別情報によって示されるタイミングで、表示制御部６２によって生成されている合成動画像から静止画像を設定、取得する（Ｓ６）。つまり、利用者に指示されたタイミングで、ライブビュー表示パネル１４に表示されている合成動画像から静止画像が取得されることになる。なお、写真撮影のタイミングを示す識別情報を静止画像取得部６３が取得しない場合、Ｓ４〜Ｓ５が繰り返される（Ｓ５，Ｎｏ）。
【０１０７】
その後、静止画像記憶制御部６４が、静止画像取得部６３によって取得された静止画像のデータを静止画像記憶部６６に書き込む（Ｓ７）。このようにして撮影処理が終了する。
【０１０８】
そして、編集処理が行われる場合、編集画像処理部５１が、静止画像記憶部６６に記憶されている静止画像のデータを取得し、この静止画像に対して編集処理が施される。さらに、編集処理後、編集画像処理部５１は、編集処理の施された静止画像のデータを静止画像記憶部６６に書き込む。その後、印刷制御部５３が、編集処理の施された静止画像のデータを静止画像記憶部６６から読み出し、このデータに基づいてプリンタ４６を制御する。
【０１０９】
これにより、ライブビュー表示パネル１４に表示されている合成動画像から所望のタイミングで静止画像を取得し、この静止画像に対して落書き処理の施した画像を、プリント紙４８上に印刷できる（Ｓ８）。
【０１１０】
また、編集処理が行われていない場合、印刷制御部５３は、静止画像記憶制御部６４によって記憶された静止画像のデータを静止画像記憶部６６から読み出し、このデータに基づいてプリンタ４６を制御する。これにより、ライブビュー表示パネル１４に表示されている合成動画像から所望のタイミングで静止画像を取得し、この静止画像に忠実な画像を、プリント紙４８上に印刷できる（Ｓ８）。
【０１１１】
以上のように、本実施形態の制御装置４１によれば、表示制御部６２が、カメラユニット１２により取得された撮影動画像と、上記撮影動画像に対して背景・前景動画となる装飾動画像とを合成した合成動画像をライブビューとして表示している。さらに、静止画像取得部６３は、この合成動画像から、利用者から指示されたタイミングで静止画像を取得している。したがって、利用者が所望する瞬間における合成動画像と上記静止画像とは一致したものになる。さらに、この静止画像に基づいた画像をプリント紙４８上に出力しているため、利用者が所望する瞬間における合成動画像が静止画像としてプリント媒体上にリアルに表現される。これにより、利用者にとって違和感のない画像をプリント媒体上に出力できる。
【０１１２】
なお、このような合成動画像の例を図５に示す。同図によれば、各テーマに基づいた装飾動画像と、利用者を撮影した撮影動画像とが合成されていることがわかる。
【０１１３】
また、本実施形態の制御装置４１によれば、静止画像取得部６３により取得された静止画像を、一旦、静止画像記憶部６６に記憶している。このように、取得した静止画像に基づいた画像をプリンタ４６からそのまま出力するのではなく、一旦、静止画像記憶部６６にて記憶させると、取得した静止画像に対し新たな画像処理、または加工を施すことができる。これにより、プリント紙４８上に出力される画像に対し編集処理を施し、または画質調整を行うことが可能になる。例えば、図６に示すように、装飾動画像と撮影動画像とを合成した合成動画像から取得した静止画像に対し、利用者が所望する落書き処理を施すことも可能である。これにより、写真処理装置におけるプリント遊びのバリエーションを拡張することが可能になる。
【０１１４】
また、本実施形態の制御装置４１によれば、動画選択部６１が、動画パターン記憶部６５に記憶されている複数の装飾動画像から合成すべき装飾動画像を選択している。これにより、複数の装飾動画像を予め用意すると共に、動画選択部６１により選択された装飾動画像のみを撮影動画像と合成することができ、利用者は、各装飾動画像によって表現される様々なテーマを体験することができる。
【０１１５】
また、本実施形態の制御装置４１によれば、動画選択部６１は、操作部１３ｂから利用者の所望する装飾動画像を特定する情報を取得しているため、利用者の所望する装飾動画像を選択することができる。これにより、複数の装飾動画像が用意されている場合であっても、撮影動画像に対して利用者の所望する装飾動画像を合成して表示することができる。
【０１１６】
〔実施の形態２〕
本発明の写真プリント装置について、他の実施の形態を以下に説明する。なお、実施の形態２と実施の形態１とでは、撮影画像処理部および記憶部の構成および処理内容が異なるだけである。したがって、説明の便宜上、実施の形態２では、撮影画像処理部および記憶部を中心に説明し、その他の構成については実施の形態１と同一の部材番号を付してその説明を省略する。
【０１１７】
本実施の形態に係る撮影画像処理部の詳細な構成について、図１０に示すブロック図を参照しながら説明する。なお、以下では、記憶部についても、撮影画像処理部と関連する機能のみ説明する。
【０１１８】
撮影画像処理部１００は、領域検出部１０１、装飾動画制御部１０２、表示制御部１０３、静止画像取得部１０４、静止画像記憶制御部１０５を備えている。また、記憶部１２０は、動画パターン記憶部１２１、静止画像記憶部１２２を備えている。
【０１１９】
動画パターン記憶部１２１は、記憶部１２０内における一部の記憶領域であり、この記憶領域には装飾動画像に関するデータが記憶されている。なお、記憶されている装飾動画像に関するデータは複数ある。
【０１２０】
領域検出部（領域検出手段）１０１は、カメラユニット１２により取得されている撮影動画像における人体の顔面領域の位置、範囲を検出するブロックである。なお、撮影動画像における人体の顔面領域の位置、範囲を検出する手法としては、例えば、テンプレートマッチングによる手法がある。テンプレートマッチングとは、人の顔の配色（髪、目の色、唇の色、肌の色、これらの位置）および輪郭を再現したテンプレート画像を用意し、撮影動画像上に上記テンプレート画像を走査させ、上記テンプレート画像と類似する領域を検出することにより、撮影動画像における人体の顔面領域を検出する手法である。なお、領域検出部１０１における制御方法は、テンプレートマッチングに限られるものではなく、撮影動画像における人体の顔面領域を検出する手法であればいかなる手法であっても構わない。
【０１２１】
表示制御部（表示制御手段）１０３は、カメラユニット１２により取り込まれた撮影動画像と、動画パターン記憶部１２１から取得した装飾動画像とを合成して合成動画像を生成し、この合成動画像を表示部１３ａおよびライブビュー表示パネル１４に表示するブロックである。
【０１２２】
装飾動画制御部（装飾動画像制御手段）１０２は、領域検出部１０１からの出力に基づいて、上記撮影動画像に対して合成される装飾動画像を変更する処理を行うためのブロックである。具体的に、装飾動画制御部１０２は、人数算出部１０６と動画パターン変更部１０７とから構成されている。
【０１２３】
人数算出部（人数算出手段）１０６は、領域検出部１０１からの出力である撮影動画像における人体の顔面領域の位置、範囲に基づき、撮影動画像に含まれる人体の数を検出するためのブロックである。つまり、カメラユニット１２が撮影している利用者の数を検出することができる。
【０１２４】
動画パターン変更部（装飾動画像変更手段）１０７は、人数算出部１０６の出力に基づいて、動画パターン記憶部１２１から装飾動画像のデータを読み出すためのブロックである。つまり、動画パターン変更部１０７は、カメラユニット１２に撮影されている利用者の人数に応じて、読み出す装飾動画像のデータを変更している。
【０１２５】
静止画像取得部（静止画像取得手段）１０４は、利用者が指示するタイミングを操作部１３ｂから検知すると共に、ライブビュー表示パネル１４または表示部１３ａに表示されている合成動画像から、このタイミングで静止画像を取得するブロックである。
【０１２６】
静止画像記憶制御部（静止画像記憶制御手段）１０５は、静止画像取得部６３により取得された静止画像を静止画像記憶部１２２に書き込む制御を行うためのブロックである。
【０１２７】
静止画像記憶部（静止画像記憶手段）１２２は、記憶部１２０内における一部の記憶領域であり、この記憶領域には静止画像取得部１０４により取得された静止画像のデータが記憶される。
【０１２８】
つぎに、撮影画像処理部１００による処理の流れを図１１のフローチャートに基づいて説明する。なお、図１１に示す各処理が実行されている間、カメラユニット１２は、撮影空間Ｒ１上に位置する利用者を撮影し続けているものとする。さらに、この間、カメラユニット１２により取得されている撮影動画像のデータは、図示しない揮発性メモリにリアルタイムで書き込まれている。
【０１２９】
まず、領域検出部１０１は、図示しない揮発性メモリから撮影動画像のデータを読み込み、撮影動画像における人体の顔面領域の位置、範囲を検出する（Ｓ１１）。つぎに、人数算出部１０６は、領域検出部１０１が検出した撮影動画像における人体の顔面領域の位置、範囲に基づき、撮影動画像に含まれる人体数をカウントする（Ｓ１２）。これにより、撮影画像処理部１００は、カメラユニット１２が撮影している利用者の数を検知することができる。
【０１３０】
つぎに、動画パターン変更部１０７は、人数算出部１０６の出力に基づき、動画パターン記憶部１２１から、ライブビューに使用する装飾動画像のデータを読み出す（Ｓ１３）。ここで、動画パターン変更部１０７では、カメラユニット１２が撮影している利用者の数に応じて、読み出す装飾動画像の種類を変更するように制御している。なお、ここで読み出された装飾動画像のデータは図示しない揮発性メモリに書き込まれることになる。
【０１３１】
そして、表示制御部１０３は、動画パターン変更部１０７により読み出されている装飾動画像のデータと、カメラユニット１２から取り込まれている撮影動画像のデータと合成して、合成した動画像をライブビュー表示パネル１４および表示部１３ａに表示する（Ｓ１４）。
【０１３２】
また、Ｓ１４において、表示制御部１０３は、利用者がこの合成動画像から静止画像を取得するタイミング（写真撮影のタイミング）を決定するための撮影ボタンを撮影処理用タッチパネル１３に表示している。これにより、利用者は、ライブビュー表示パネル１４に表示されている自身の姿を確認しながら、上記撮影ボタンに触れることで、所望する瞬間における合成動画像を指定することができる。
【０１３３】
ここで、利用者が撮影ボタンをタッチすると、操作部１３ｂは、写真撮影のタイミングを示す識別情報を取得し、この識別情報を静止画像取得部１０４に送る。静止画像取得部１０４は、この識別情報を取得した場合（Ｓ１５，Ｙｅｓ）、この識別情報によって示されるタイミングで、表示制御部１０３によって生成されている合成動画像から静止画像を設定、取得する（Ｓ１６）。つまり、利用者に指示されたタイミングで、ライブビュー表示パネル１４に表示されている合成動画像から静止画像が設定されることになる。なお、写真撮影のタイミングを示す識別情報を静止画像取得部１０４が取得しない場合、Ｓ１４〜Ｓ１５が繰り返される（Ｓ１５，Ｎｏ）。
【０１３４】
その後、静止画像記憶制御部１０５は、静止画像取得部１０４により取得した静止画像のデータを静止画像記憶部１２２に書き込む（Ｓ１７）。このようにして撮影処理が終了する。
【０１３５】
なお、以降の処理については省略するが、静止画像記憶部１７２に記憶された静止画像に基づき、プリント紙４８上に画像を出力してもよいし、また、編集処理を施しても構わない。
【０１３６】
以上のように、本実施の形態の撮影画像処理部１００によれば、領域検出部１０１が、上記撮影動画像に含まれる人体の顔面領域を検出し、装飾動画制御部１０２が、領域検出部１０１の出力に基づき、撮影動画像に対して合成する装飾動画像を変更している。つまり、撮影動画像に含まれる人体の顔面領域を検知することにより、撮影動画像に合成する装飾動画像を自動的に変更している。したがって、ライブビュー表示パネル１４または表示部１３ａに表示される合成動画像において人体像をより明確に表示するように、装飾動画像を自動選択できる。これにより、利用者にとって違和感のない合成動画像をライブビュー表示パネル１４または表示部１３ａに表示できる。
【０１３７】
また、本実施形態の撮影画像処理部１００によれば、人数算出部１０６が、領域検出部１０１の出力に基づき、カメラユニット１２が撮影している人体の数を算出している。そして、動画パターン変更部１０７が、人数算出部１０６の出力に応じて、読み出す装飾動画像の種類を選択する。つまり、撮影動画像に含まれる人体を検知するのみならず、人数を検知しているため、撮影される利用者の人数に応じて、撮影動画像に合成する装飾動画像の種類を自動的に変更することが可能となる。
【０１３８】
撮影される利用者が複数である場合、ライブビュー表示パネル１４に表示される人数も複数となり、表示されている利用者全員の顔を明確に表示させるためには、装飾模様が少ないまたは小さい装飾動画像を使用して合成動画像を作成することが好ましい。このような場合でも、本実施形態によれば、撮影される利用者の人数に応じて上記装飾動画像を自動的に変更でき、表示される人数に適した装飾動画像を用いて合成動画像を作成できる。これにより、表示されている利用者全員の顔を明確に表示させることが可能となる。
【０１３９】
また、本実施の形態では、領域検出部１０１は、撮影動画像における人体の顔面領域の位置、範囲を検出しているが、顔面領域に限定されるものでなく、その他、首、手等の身体領域を検出することにより、撮影動画像における人体を検知しても構わない。
【０１４０】
〔実施の形態３〕
本発明の写真プリント装置について、他の実施の形態を以下に説明する。なお、実施の形態３と実施の形態１とでは、撮影画像処理部および記憶部の構成および処理内容が異なるだけである。したがって、説明の便宜上、実施の形態３では、撮影画像処理部および記憶部を中心に説明し、その他の構成については実施の形態１と同一の部材番号を付してその説明を省略する。
【０１４１】
本実施の形態に係る撮影画像処理部の詳細な構成について、図１２に示すブロック図を参照しながら説明する。なお、以下では、記憶部についても、撮影画像処理部と関連する機能のみ説明する。
【０１４２】
撮影画像処理部１５０は、領域検出部１５１、装飾動画制御部１５２、表示制御部１５３、静止画像取得部１５４、静止画像記憶制御部１５５、動画選択部１５８を備えている。また、記憶部１７０は、動画パターン記憶部１７１、静止画像記憶部１７２を備えている。
【０１４３】
動画パターン記憶部（動画パターン記憶手段）１７１は、記憶部１７０内における一部の記憶領域であり、この記憶領域には装飾動画像に関するデータが記憶されている。なお、記憶されている装飾動画像に関するデータは複数ある。
【０１４４】
動画選択部（装飾動画像選択手段）１５８は、操作部１３ｂから利用者の所望する装飾動画像を特定する情報を取得する。そして、動画選択部１５８は、この情報に対応した装飾動画像のデータを動画パターン記憶部１７１から読み出す。なお、読み出された装飾動画像のデータは、図示しない揮発性メモリに書き込まれる。
【０１４５】
領域検出部（領域検出手段）１５１は、カメラユニット１２により取得されている撮影動画像における人体の顔面領域の位置、範囲を検出するブロックである。なお、撮影動画像における人体の顔面領域の位置、範囲を検出する手法としては、実施の形態２の領域検出部１０１と同様である。
【０１４６】
表示制御部（表示制御手段）１５３は、カメラユニット１２により取り込まれた撮影動画像と、装飾動画制御部１５２から取得した装飾動画像とを合成して合成動画像を生成し、この合成動画像を表示部１３ａおよびライブビュー表示パネル１４に表示するブロックである。
【０１４７】
装飾動画制御部（装飾動画像制御手段）１５２は、領域検出部１５１からの出力に基づいて、上記撮影動画像に対して合成される装飾動画像を変更する処理を行うブロックである。具体的に、装飾動画制御部１０２は、装飾動画透過度制御部１５６と装飾動画消去制御部１５７とから構成されている。
【０１４８】
装飾動画透過度制御部（動画像透過度制御手段）１５６は、領域検出部１５１の出力に基づき、撮影動画像に合成される装飾動画像に対し、撮影動画像の人体の顔面領域に重ねる領域の装飾の透過度を大きくする処理を施すブロックである。
【０１４９】
装飾動画消去制御部（動画消去制御手段）１５７は、領域検出部１５１の出力に基づき、上記撮影動画像の人体の顔面領域に重ねる装飾動画像を消去する処理を施すブロックである。
【０１５０】
静止画像取得部（静止画像取得手段）１５４は、利用者が指示するタイミングを操作部１３ｂから検知すると共に、ライブビュー表示パネル１４または表示部１３ａに表示されている合成動画像から、このタイミングで静止画像を取得するブロックである。
【０１５１】
静止画像記憶制御部（静止画像記憶制御手段）１５５は、静止画像取得部１５４により取得された静止画像を静止画像記憶部１２２に書き込む制御を行うためのブロックである。
【０１５２】
静止画像記憶部（静止画像記憶手段）１７２は、記憶部１７０内における一部の記憶領域であり、この記憶領域には静止画像取得部１５４により取得された静止画像のデータが記憶される。
【０１５３】
つぎに、撮影画像処理部１５０による処理の流れを説明するが、本実施の形態では「装飾動画透過度調整」および「装飾動画像消去」の二種類の制御を実現することができる。したがって、以下では、まず「装飾動画透過度調整」を説明し、後に「装飾動画像消去」を説明する。
【０１５４】
まず、「装飾動画透過度調整」の処理の流れについて、図１３のフローチャートに基づいて説明する。なお、図１３に示す各処理が実行されている間、カメラユニット１２は、撮影空間Ｒ１上に位置する利用者を撮影し続けているものとする。さらに、この間、カメラユニット１２により取得されている撮影動画像のデータは、図示しない揮発性メモリに書き込まれつづけているものとする。
【０１５５】
まず、表示制御部１５３は、利用者が装飾動画像を選択するために必要な情報を撮影処理用タッチパネル１３に表示する（Ｓ３１）。この必要な情報とは、予め用意されている各装飾動画像の題目（テーマ）を示したメニュー等である。
【０１５６】
ここで、利用者は、撮影処理用タッチパネル１３に表示されている各装飾動画像のテーマから、ライブビューに使用する装飾動画像を選択する。これにより、撮影処理用タッチパネル１３の操作部１３ｂは、利用者の所望する装飾動画像を示した識別情報を入力する。
【０１５７】
つぎに、撮影処理用タッチパネル１３の操作部１３ｂは、動画選択部１５８に対し、上記識別情報を送る。ここで、動画選択部１５８は、利用者の所望する装飾動画像を特定する情報を取得すると（Ｓ３２，Ｙｅｓ）、この識別情報に基づいて、動画パターン記憶部１７１からライブビューに使用する装飾動画像のデータを読み出す（Ｓ３３）。つまり、撮影画像処理部１５０は、動画パターン記憶部１７１に記憶されている複数の装飾動画像から、撮影動画像に対して合成される装飾動画像のみを読み出す。そして、この装飾動画像のデータは図示しない揮発性メモリに書き込まれることになる。なお、利用者の所望する装飾動画像を特定する情報を動画選択部１５８が取得しない場合、Ｓ３１〜Ｓ３２が繰り返される（Ｓ３２，Ｎｏ）。
【０１５８】
また、領域検出部１５１は、図示しない揮発性メモリから撮影動画像のデータを取得し、撮影動画像における人体の顔面領域の位置、範囲を検出している（Ｓ３４）。そして、装飾動画透過度制御部１５６は、領域検出部１５１からの出力に基づいて、Ｓ３３で読み出された装飾動画像に対し、撮影動画像の人体の顔面領域に重ねる領域の装飾の透過度を大きく調整している（Ｓ３５）。
【０１５９】
そして、表示制御部１５３は、Ｓ３５で透過度調整のなされた装飾動画像と、カメラユニット１２から取り込まれている撮影動画像とを合成して、合成した動画像をライブビュー表示パネル１４および表示部１３ａに表示する（Ｓ３６）。
【０１６０】
また、Ｓ３６において、表示制御部１５３は、利用者がこの合成動画像から静止画像を取得するタイミング（写真撮影のタイミング）を決定するための撮影ボタンを撮影処理用タッチパネル１３に表示している。これにより、利用者は、ライブビュー表示パネル１４に表示されている自身の姿を確認しながら、上記撮影ボタンに触れることで、所望する瞬間における合成動画像を指定することができる。
【０１６１】
ここで、利用者が撮影ボタンをタッチすると、操作部１３ｂは、写真撮影のタイミングを示す識別情報を取得し、この識別情報を静止画像取得部１５４に送る。静止画像取得部１５４は、この識別情報を取得した場合（Ｓ３７，Ｙｅｓ）、この識別情報によって示されるタイミングで、表示制御部１５３によって生成されている合成動画像から静止画像を設定、取得する（Ｓ３８）。つまり、利用者に指示されたタイミングで、ライブビュー表示パネル１４に表示されている合成動画像から静止画像が設定されることになる。なお、写真撮影のタイミングを示す識別情報を静止画像取得部１５４が取得しない場合、Ｓ３６〜Ｓ３７が繰り返される（Ｓ３７，Ｎｏ）。
【０１６２】
その後、静止画像記憶制御部１５５は、静止画像取得部１５４により取得した静止画像のデータを静止画像記憶部１７２に書き込む（Ｓ３９）。このようにして撮影処理が終了する。
【０１６３】
なお、以降の処理については省略するが、静止画像記憶部１７２に記憶された静止画像に基づき、プリント紙４８上に画像を出力してもよいし、また、編集処理を施しても構わない。
【０１６４】
以上のように、本実施の形態の撮影画像処理部１５０によれば、装飾動画透過度制御部１５６は、装飾動画像に対し、上記撮影動画像の人体の顔面領域に重ねる装飾部分の透過率を大きくしている。つまり、ライブビュー表示パネル１４に表示される合成動画像（ライブビュー）における人体の顔面領域に重なる装飾の透過率が、顔面領域以外の領域に重なる装飾の透過率より大きくなる。これにより、ライブビュー画像において、人体の顔面領域に装飾が重なっているとしても、顔面領域上の装飾の透明度を向上させたライブビューを表示でき、装飾により人体領域が隠れて表示されることを抑制できる。例えば、合成される装飾動画像によって表現されるテーマが「風船」「水滴」である場合、利用者像の顔面領域に重ねる装飾（風船、水滴の模様）の透明度を、顔面領域以外の領域に重ねる装飾の透明度よりも大きくする。これにより、ライブビュー画像において、利用者像の顔面部分に装飾が重なっても、利用者の表情をできるだけ明確に表示できる。
【０１６５】
つぎに、「装飾動画像消去」の処理の流れについて、図１４のフローチャートに基づいて説明する。なお、図１４に示す各ステップについて、図１３に示すステップと重複するものについては、その説明を省略する。
【０１６６】
まず、図１４のＳ４１〜Ｓ４４については、図１３のＳ３１〜Ｓ３４と同一の処理が行なわれる。Ｓ４４の後、装飾動画消去制御部１５７は、領域検出部１０１からの出力に基づいて、Ｓ４３で読み出された装飾動画像に対し、撮影動画像の人体の顔面領域に重ねる領域の装飾を消去している（Ｓ４５）。
【０１６７】
そして、表示制御部１０３は、Ｓ４５で装飾の消去がなされた装飾動画像と、カメラユニット１２からの撮影動画像とを合成して、合成した動画像をライブビュー表示パネル１４および表示部１３ａに表示する（Ｓ４６）。その後の処理（Ｓ４７〜Ｓ４９）については、図１３のＳ３７〜Ｓ３９と同一の処理である。
【０１６８】
以上のように、装飾動画消去制御部１５７は、領域検出部１５１の出力に基づき、上記装飾動画像に対し、撮影動画像の人体の顔面領域に重ねる位置の装飾を消去している。つまり、撮影動画像における人体の顔面領域を避けて、上記装飾動画像が上記撮影動画像に合成される。これにより、ライブビュー表示パネル１４に表示される合成動画像において、人体の顔面領域上から装飾を消去することが可能となる。したがって、ライブビュー表示パネル１４に表示される人体の顔面領域を明確にでき、利用者にとって違和感のない合成動画像を表示できる。例えば、図５に示すように、撮影動画像と装飾動画像とを合成した合成動画像（ライブビュー）を表示する場合であっても、利用者の顔面部分に装飾が重ならないように表示することによって、利用者の表情を明確に表示できる。
【０１６９】
また、本実施の形態では、領域検出部１５１は、撮影動画像における人体の顔面領域の位置、範囲を検出しているが、顔面領域に限定されるものでなく、その他、首、手等の身体領域を検出することにより、撮影動画像における人体を検知しても構わない。
【０１７０】
以上のように、本実施の形態の撮影画像処理部１５０によれば、領域検出部１５１が、上記撮影動画像に含まれる人体の顔面領域を検出し、装飾動画制御部１５２が、領域検出部１５１の出力に基づき、撮影動画像に対して合成する装飾動画像を変更している。したがって、ライブビュー表示パネル１４または表示部１３ａに表示される合成動画像において人物の顔面をより明確に表示するように、装飾動画像を自動変更できる。
【０１７１】
以上、実施の形態１〜実施の形態３を説明したが、写真プリント装置に対し、各実施の形態の構成を単独で適用することは勿論可能であり、また、各実施の形態の構成を任意に組み合わせて適用することも可能である。
【０１７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１７３】
〔実施例〕
次に、利用者が本発明の写真プリント装置を使用する一実施例について、図を参照しながら説明する。以下説明する写真プリント装置１は、上述した実施の形態１、実施の形態３の構成を組み合わせ場合の一実施例である。
【０１７４】
（全体処理の流れ）
図１５は、写真プリント装置１の全体処理の流れを示すフローチャートである。まず、Ｓ１０１において、利用者が撮影空間Ｒ１に進入する。ここで利用者は、撮影処理用タッチパネル１３に表示されているデモ画面に従って、コイン投入口１５から代金としてのコインを投入する。そして、課金処理部４３によって課金処理が行われる（Ｓ１０２）。
【０１７５】
課金処理が正常に完了したことが確認されると、Ｓ１０３において撮影処理が開始される。この撮影処理では、背景となる装飾動画像の選択、利用者の撮影動画像と装飾動画像とを合成した合成動画像の表示、および写真撮影処理などが行われる。なお、この撮影処理に関する詳細については後述する。
【０１７６】
そして、Ｓ１０４において撮影処理が終了したか否かが判定され、終了していない場合には（Ｓ１０４においてＮＯ）、Ｓ１０３における撮影処理が繰り返し行われる。撮影処理の終了は、利用者によって撮影処理の終了指示が出されるか、撮影処理時間がオーバーした場合となる。
【０１７７】
撮影処理が終了したことが確認されると（Ｓ１０４においてＹＥＳ）、利用者は撮影空間Ｒ１から編集空間Ｒ２に移動し、編集処理用タッチパネル２１を用いて編集処理が開始される（Ｓ１０５）。
【０１７８】
図１６に編集画面の例を示す。図１６に示す編集画面例では、表示画面上における上隅に編集処理を行うことが可能な制限時間の残り時間が表示される。また、表示画面上における左側には、編集対象となる画像、すなわち撮影処理によって設定された静止画像が表示され、この画像に対してタッチペン２２を用いて落書きなどの編集処理が行われることになる。この表示画面上における右側領域には、編集処理を行うためのツール類の選択領域が表示される。ツール類としては、例えば複数の種類からなるペン、スタンプ、フレームなどが挙げられる。なお、この表示画面上における下側領域には、編集した落書きを消去するための消しゴム、編集をやり直すためのボタンが表示されている。
【０１７９】
また、編集対象となる画像の左上隅には、編集対象となる画像を選択するための選択画像が表示されている。利用者は、タッチペン２２によって選択画像をタッチすることによって、左側に編集対象として表示される画像を切り替えることが可能となっている。なお、この選択画像は、上記の撮影処理において、複数回の撮影が行われた場合の各撮影時における画像に相当するものである。
【０１８０】
そして、Ｓ１０６において編集処理が終了したか否かが判定され、終了していない場合には（Ｓ１０６においてＮＯ）、Ｓ１０５に戻って編集処理が継続される。編集処理は、利用者によって編集終了の指示が出されるか、あるいは編集処理に割り当てられた残り時間がなくなった場合に終了することになる。
【０１８１】
編集処理が終了したことが確認されると（Ｓ１０６においてＹＥＳ）、編集が施された画像データが印刷制御部５３に伝送され、この画像データに基づいて印刷制御部５３がプリンタ４６のプリント動作を制御する（Ｓ１０７）。これにより、プリンタ４６が、プリント紙４８に対して画像出力し、これがプリント排出口３１から排出される。
【０１８２】
また、プリンタ４６が印刷動作を実行している間、この印刷動作と並行して、制御装置４１は、お楽しみ用タッチパネル３０にコマーシャル画像やゲーム画像を表示する。これにより、プリント排出口３１のあるお楽しみ空間Ｒ３において、印刷待機中の利用者は、編集処理後からプリント紙排出までの時間を有効活用することができる。以上のシーケンスによって、ある利用者による撮影から編集、出力に至るプレイ動作が終了する。
【０１８３】
（撮影処理の流れ）
次に、上記のＳ１０３における撮影処理の詳細について説明する。本実施例における写真プリント装置１では、利用者の撮影動画像と、上記撮影動画像に対する背景動画・前景動画である装飾動画像とが合成された合成動画像が生成され、この合成動画像がライブビュー表示パネル１４および撮影処理用タッチパネル１３に表示される。また、写真プリント装置１では、利用者が、ライブビュー表示パネル１４に表示されている自身の姿を視認しながら、撮影処理用タッチパネル１３によって写真撮影する瞬間を指定し、この瞬間における合成動画像に基づく画像がプリント紙４８上に出力される。以降、この処理について詳しく説明する。
【０１８４】
図１７〜図２０は、撮影処理における撮影処理用タッチパネル１３に表示される画面の表示順序を示すフローチャートである。まずＳ１１１において、図２１に示すような「デモ画面」が撮影処理用タッチパネル１３に表示される。デモ画面とは、写真プリント装置１のマシーンの名称、略称、マシーンの概略等を装置使用前の利用者に示す画面である。なお、このデモ画面において、「コインを投入してね」というような、利用者にコイン投入を促すメッセージを表示してもよい。
【０１８５】
利用者によりコイン投入がなされ、課金処理部４３による課金処理が終了すると（Ｓ１１２，Ｙｅｓ）、「デモ画面」の表示が終了し、図２２に示すような「タッチパネル操作説明指示画面」が表示される（Ｓ１１３）。これにより、利用者は、タッチパネルによって写真プリント装置１を操作できることを認識することができる。
【０１８６】
「タッチパネル操作説明指示画面」の表示が所定時間続いた後、図２３に示すような「明るさ選択画面」が撮影処理用タッチパネル１３に表示される（Ｓ１１４）。「明るさ選択画面」とは、写真撮影時における照明装置１７ａ・１７ｂが発光するストロボ光の明るさ（ライティング）を利用者の好みに応じて切り替えるための画面である。本実施例の写真プリント装置１では、例えば、「明るめ美白」「ナチュラル美白」の二種類のライティングモードが用意され、このフラッシュの明るさを二段階で切り替えることができる。ここで、図２３の「明るさ選択画面」において、左上隅に表示されている数字は、該「明るさ選択画面」が表示可能な残り時間を示している。なお、以降の処理においても、表示される画面の左上隅に数字が示されている場合、その数字は該画面が表示可能な残り時間を示すものとする。
【０１８７】
利用者が、図２３における「明るめ美白」を示すボタンに触れると、「明るめ美白」のライティングモードが選択される。この場合、写真プリント装置１は、写真撮影時において、プリント紙上に出力される画像全体が均一な明るさとなるように前記ストロボ照明部を発光させる。
【０１８８】
また、利用者が、図２３における「ナチュラル美白」を示すボタンに触れると、「ナチュラル美白」のライティングモードが選択される。この場合、写真プリント装置１は、プリント紙上に出力される画像において利用者像の顔面部分の明るさが強調されるように、照明装置１７ａ・１７ｂの光量、光の照射角等を調整する。なお、本実施例の写真プリント装置１では、「明るめ美白」がデフォルト設定される。つまり、利用者によるライティングモードの選択がない場合、「明るめ美白」のライティングモードが自動選択される。
【０１８９】
利用者により、ライティングモードが選択された後、または「明るさ選択画面」の表示可能な残り時間がゼロになった場合、利用者によるライティング選択が終了したものと判断される（Ｓ１１５，Ｙｅｓ）。
【０１９０】
利用者によるライティング選択が終了したものと判断された後、図２４に示すような「撮影モード選択画面」が撮影処理用タッチパネル１３に表示される（Ｓ１１６）。ここで「撮影モード選択画面」とは、利用者を撮影した撮影動画像に対して、装飾動画像を合成するか否かを利用者に選択させるための画面である。本実施例の写真プリント装置１では、例えば、「美人モード」「夢色モード」「超夢色モード」の三種類の撮影モードが用意されている。また、選択されるモードの種類に応じて、フロントスピーカ１８ａ、１８ｂから出力されるＢＧＭを変更してもよい。
【０１９１】
利用者が、図２４における「美人モード」を示すボタンに触れると、「美人モード」が選択される（Ｓ１１７）。この場合、後の撮影時において、単色カーテンを背景として利用者を撮影した撮影動画像がライブビュー表示パネル１４に表示され、この撮影動画像に対して装飾動画像の合成は行なわれない。
【０１９２】
利用者が、図２４における「夢色モード」を示すボタンに触れると、「夢色モード」が選択される（Ｓ１１７）。この場合、後の撮影時において、利用者を撮影した撮影動画像に対し、この撮影動画像の前景および／または背景となる装飾動画像を合成した合成動画像がライブビュー表示パネル１４に表示され、単色カーテンを背景とした撮影は行なわれない。
【０１９３】
利用者が、図２４における「超夢色モード」を示すボタンに触れると、「超夢色モード」が選択される（Ｓ１１７）。この場合、後の撮影時において、単色カーテンを背景として利用者を撮影した撮影動画像に対し、上記装飾動画像を合成した合成動画像がライブビュー表示パネル１４に表示される。
【０１９４】
なお、本実施例の写真プリント装置１では、「夢色モード」がデフォルト設定されている。つまり、利用者による撮影モードの選択がなく、「撮影モード選択画面」が表示される残り時間がゼロになると、「夢色モード」のが自動選択される（Ｓ１１７）。
【０１９５】
つぎに、図１８のフローチャートを参照して、撮影モードとしての「夢色モード」の処理の流れを説明する。
【０１９６】
上記Ｓ１１７において、利用者が「夢色モード」を示すボタンに触れるか、所定時間が経過すると、図２５に示す「夢選択画面（装飾用動画像選択画面）」が撮影処理用タッチパネル１３に表示される（Ｓ１２０）。この「夢選択画面」とは、利用者が撮影されている撮影動画像に対し、合成される装飾動画像を選択するための画面である。
【０１９７】
このＳ１２０において、利用者は、「夢選択画面」に表示されている各テーマを示すボタンのうち、所望するテーマのボタンに触れることにより、所望のテーマを表現する装飾動画像を選択できる。また、Ｓ１２０では、上記テーマを二通り選択できるようになっている。なお、選択されるテーマに応じて、フロントスピーカ１８ａ、１８ｂから出力されるＢＧＭを変更してもよい。
【０１９８】
そして、所望するテーマの選択がなされるか、所定時間が経過すると、「夢選択画面」の表示の終了が判断される（Ｓ１２１，Ｙｅｓ）。なお、「夢選択画面」表示中において、利用者がテーマを選択しなかった場合、デフォルト設定されているテーマが二つ自動選択される。
【０１９９】
なお、図２５に示す「夢選択画面」では１２個のテーマが表示されているが、このうち、通常時は９個まで表示するようにし、利用者により秘密情報が入力された時のみ１２個全てを表示するようにしてもよい（裏技）。なお、秘密情報とは、写真プリント装置１のメーカーから特定の利用者に対してのみ通知されている情報をいう。また、利用者による秘密情報の入力は、例えばＳ１１３において行うようにしてもよい。
【０２００】
「夢選択画面」の表示が終了すると、図２６に示す「撮影画面」が撮影処理用タッチパネル１３に表示される（Ｓ１２２）。この「撮影画面」には、利用者が撮影されている撮影動画像と、選択されたテーマを表現する装飾動画像とを合成したライブビュー（合成動画像）がリアルタイムで表示されていると共に、撮影ボタンが表示されている。なお、このライブビューは、ライブビュー表示パネル１４にも表示されている。
【０２０１】
この「撮影画面」内の左側に位置する丸ボタンは、撮影ボタンである。利用者が「撮影ボタン」に触れると、カウントダウンが始まる。そして、カウントダウン終了のタイミングで、ライブビュー表示パネル１４または「撮影画面」に表示されているライブビューから静止画像が設定される。このようにして、撮影動画像と装飾動画像とを合成した合成動画像から静止画像を設定される。そして、後の印刷処理では、ここで設定された静止画像に基づいて、プリント紙４８上に画像を出力する。
【０２０２】
写真撮影が２回行なわれたと判断されると（Ｓ１２３，Ｙｅｓ）、図２７に示す「撮影確認画面」が撮影処理用タッチパネル１３に表示される（Ｓ１２４）。この「撮影確認画面」は、写真撮影された画像を累積して表示するための画面である。
【０２０３】
なお、図２７では、写真撮影された八つの画像が累積表示され、この累積表示されている八つ画像のうち、利用者がタッチした画像のみ拡大表示されている。この拡大表示によって、利用者は所望の画像について詳細に確認することができる。なお、「夢色モード」では、全ての写真撮影が縦画角で行なわれている。
【０２０４】
つぎに、所定の最大撮影時間が経過したか否かが判定される（Ｓ１２５）。最大撮影時間を経過している場合（Ｓ１２５，Ｙｅｓ）、図２８に示す「画像選択画面」が撮影処理用タッチパネル１３に表示される（Ｓ１２７）。
【０２０５】
また、最大撮影時間を経過していない場合（Ｓ１２５，Ｎｏ）、Ｓ１２０〜Ｓ１２４の実行回数が判定される（Ｓ１２６）。Ｓ１２０〜Ｓ１２４の実行回数が４回である場合（Ｓ１２６，Ｙｅｓ）、図２８に示す「画像選択画面」が撮影処理用タッチパネル１３に表示される（Ｓ１２７）。一方、Ｓ１２０〜Ｓ１２４の実行回数が４回未満である場合（Ｓ１２６，Ｎｏ）、図２５に示す「夢選択画面」を撮影処理用タッチパネル１３に再表示する（Ｓ１２０）。そして、再び、Ｓ１２０〜Ｓ１２４の処理が繰り返される。
【０２０６】
つまり、利用者は、所定の最大撮影時間内であれば、Ｓ１２０〜Ｓ１２４の処理を最大で４回まで繰り返すことができる。さらに、Ｓ１２２では写真撮影が２回行なわれるため、最大で８回の写真撮影が可能となる。なお、図２８の「撮影確認画面」は、以上のようにして写真撮影が８回行なわれた後の確認画面である。
【０２０７】
また、Ｓ１２０〜Ｓ１２４が繰り返し実行される場合、Ｓ１２０において、以前の処理でデフォルト設定していたテーマとは異なるテーマがデフォルト設定される。これにより、Ｓ１２１において、利用者が所定時間内にテーマを全く選択しない場合でも、テーマが重複して自動設定されることがない。
【０２０８】
つぎに、Ｓ１２７における「画像選択画面」について説明する。この画面では、これまでの処理で写真撮影された静止画像が表示される。そして、利用者が、プリントを所望する静止画像にタッチすると、タッチされた静止画像は、プリント紙４８上に出力される静止画像として選択される。なお、本実施例の写真プリント装置１によれば、プリントする静止画像を四個まで選択できる。
【０２０９】
そして、利用者はプリントする静止画像の選択を終了すると、「画像選択画面」内の右上に表示されている「選択終了ボタン」にタッチする。これにより、「画像選択画面」の表示終了が判断される。
【０２１０】
また、利用者がプリントする静止画像の選択をしない場合であっても、所定時間が経過すると「画像選択画面」の表示の終了が判断される。この場合、選択する静止画像がちょうど４個になるように、残りの静止画像が自動決定される。なお、この自動決定において、撮影された順に静止画像を選択するように制御されてもよい。
【０２１１】
「画像選択画面」の表示の終了が判断されると（Ｓ１２８，Ｙｅｓ）、図２９に示す「落書き移動画面」が撮影処理用タッチパネル１３に表示される（Ｓ１２９）。この「落書き移動画面」とは、「落書きコーナー」への移動を利用者に促すための画面である。これにより、撮影モードとして「夢色モード」が選択された場合の撮影処理が終了する。
【０２１２】
以上のように、撮影モードとして「夢色モード」が選択された場合、利用者を撮影した撮影動画像と、この撮影動画像に対して背景または前影となる装飾動画像とを合成した合成動画像がライブビューとして表示される（図２６参照）。そして、この合成動画像から、利用者の指定するタイミングで静止画像が設定されることになる。さらに、後の印刷処理において、この静止画像に基づいた画像がプリント紙４８上に出力される。
【０２１３】
また、このライブビューにおいては、利用者像の顔面部分に装飾が重ならない、つまり利用者像の顔面部分における装飾動画像を消去している（図２６〜図２８参照）。これにより、撮影動画像に対し背景動画・前景動画を合成したライブビューを表示しても、利用者の顔面部分を明確に表示できる。
【０２１４】
つぎに、図１９のフローチャートを参照して、撮影モードとしての「美人モード」の処理の流れを説明する。上記Ｓ１１７において、利用者が「美人モード」を示すボタンに触れると、図３０に示す「カーテン選択画面」が撮影処理用タッチパネル１３に表示される（Ｓ１３０）。この「カーテン選択画面」とは、撮影時における利用者の背景となる単色カーテンの色を選択するための画面である。このＳ１３０において、利用者は、「カーテン選択画面」に表示されている各色のボタンから、所望する色のボタンに触れることにより、所望の色のカーテンを選択できる。また、Ｓ１３０においては、カーテンの色を二通り選択できるようになっている。なお、選択されるカーテンの色に応じて、フロントスピーカ１８ａ、１８ｂから出力されるＢＧＭを変更してもよい。なお、所定時間内に利用者によるカーテンの選択がない場合、カーテンの色は自動選択される。
【０２１５】
さらに、図３０に示す「グラデーションでキレイに撮れるよ」に属する各色が選択されると、制御装置４１は、写真撮影時において、背景ユニット３のストロボを発光させる。これにより、利用者の背景となるカーテンに濃淡（グラデーションの変化）を加えることができ、プリント紙４８上に出力される画像に高級感をあたえることができる。
【０２１６】
「カーテン選択画面」の表示から所定時間経過後、または利用者によるカーテンの選択が終了すると、「カーテン選択画面」の表示終了が判断される（Ｓ１３１，Ｙｅｓ）。
【０２１７】
その後、図３１に示す「撮影画面」が撮影処理用タッチパネル１３に表示される（Ｓ１３２）。この「撮影画面」には、利用者を撮影した撮影動画像であるライブビューがリアルタイムで表示されていると共に、撮影ボタンが表示されている。なお、このライブビューは、ライブビュー表示パネル１４にも表示されている。
【０２１８】
また、「撮影画面」において表示されている「縦」ボタンおよび「横」ボタンは、写真撮影される静止画像の縦画角／横画角を切り替えるためのボタンである。この「縦ボタン」「横ボタン」によって、利用者は、写真撮影される静止画像の縦画角／横画角を写真撮影直前まで切り替えることが可能になる。
【０２１９】
さらに、「撮影画面」内の左側に位置する丸ボタンは、撮影ボタンである。利用者が「撮影ボタン」に触れると、カウントダウンが始まる。そして、カウントダウン終了のタイミングで、ライブビュー表示パネル１４または「撮影画面」に表示されているライブビューから静止画像が設定される。このようにして、利用者の写真撮影処理が行なわれる。そして、後の印刷処理では、ここで設定された静止画像に基づいて、プリント紙４８上に画像を出力する。
【０２２０】
写真撮影が２回行なわれたと判断されると（Ｓ１３３，Ｙｅｓ）、図３２に示す「撮影確認画面」が撮影処理用タッチパネル１３に表示される（Ｓ１３４）。この「撮影確認画面」とは、写真撮影された画像を累積して表示するための画面である。
【０２２１】
なお、図３２では、写真撮影された八つの画像が累積表示され、この累積表示されている八つ画像のうち、利用者がタッチした画像のみ拡大表示されている。この拡大表示によって、利用者は所望の画像について詳細に確認することができる。また、図３２において、八つの画像が表示されている理由については後に説明する。
【０２２２】
つぎに、所定の最大撮影時間が経過したか否かが判定される（Ｓ１３５）。最大撮影時間を経過している場合（Ｓ１３５，Ｙｅｓ）、図３３に示す「画像選択画面」が撮影処理用タッチパネル１３に表示される（Ｓ１３７）。
【０２２３】
また、最大撮影時間を経過していない場合（Ｓ１３５，Ｎｏ）、Ｓ１３０〜Ｓ１３４の実行回数が判定される（Ｓ１３６）。Ｓ１３０〜Ｓ１３４の実行回数が４回である場合（Ｓ１３６，Ｙｅｓ）、図３３に示す「画像選択画面」が撮影処理用タッチパネル１３に表示される（Ｓ１３７）。一方、Ｓ１３０〜Ｓ１３４の実行回数が４回未満である場合（Ｓ１３６，Ｎｏ）、図３０に示す「カーテン選択画面」が撮影処理用タッチパネル１３に再表示される（Ｓ１３０）。そして、再び、Ｓ１３０〜Ｓ１３４の処理が繰り返される。
【０２２４】
つまり、利用者は、所定の最大撮影時間内であれば、Ｓ１３０のカーテン選択およびＳ１３２の撮影処理を最大で４回まで繰り返すことができる。さらに、Ｓ１３２では写真撮影が２回行なわれるため、最大で８回の写真撮影が可能となる。なお、図３３の「撮影確認画面」は、以上のようにして写真撮影が８回行なわれた後の確認画面である。
【０２２５】
つぎに、Ｓ１３７における「画像選択画面」について説明する。この画面では、これまでの処理で写真撮影された静止画像が表示される。そして、利用者が、プリントを所望する静止画像にタッチすると、タッチされた静止画像は、プリント紙４８上に出力される静止画像として選択される。なお、本実施例の写真プリント装置１によれば、プリントする静止画像を四個まで選択できる。
【０２２６】
そして、利用者はプリントする静止画像の選択を終了すると、「画像選択画面」内の右上に表示されている「選択終了ボタン」にタッチする。これにより、「画像選択画面」の表示終了が判断される。
【０２２７】
また、利用者がプリントする静止画像の選択をしない場合であっても、所定時間が経過すると「画像選択画面」の表示の終了が判断される。この場合、選択する静止画像がちょうど四個になるように、残りの静止画像が自動決定される。なお、この自動決定において、撮影された順に静止画像を選択するように制御されてもよい。
【０２２８】
「画像選択画面」の表示の終了が判断されると（Ｓ１３８，Ｙｅｓ）、図３４または図３５に示す「明るさ調整画面」が撮影処理用タッチパネル１３に表示される（Ｓ１３９）。この「明るさ調整画面」とは、Ｓ１３７において選択された各静止画像に対し、画像処理によって明るさ調整を行うための画面である。なお、図３４に示す「明るさ調整画面」は、Ｓ１１４において「明るめ美白」のライティングモードが指定された場合に、Ｓ１３９において表示される画面である。図３５に示す「明るさ調整画面」は、Ｓ１１４において「ナチュラル美白」のライティングモードが指定された場合に、Ｓ１３９において表示される画面である。
【０２２９】
本実施例では、この「明るさ調整画面」によって、表示されている静止画像ごとに明るさ調整モードが５段階用意されている。ここで、図３４に示す「明るさ調整画面」では、明るい順に「超明美白」「明るめ美白」「おすすめ」「くっきり美白」「写真美白」の５つのモードが用意されている。また、図３５に示す「明るさ調整画面」では、明るい順に「くっきり美白」「明るめ美肌」「おすすめ」「小麦美肌」「写真美肌」の５つの明るさ調整モードが用意されている。なお、「明るさ調整画面」において、明るさ調整モードのデフォルトは、「おすすめ」に設定されている。
【０２３０】
ここで、利用者が、各静止画像に対して、所望する明るさモードが示されているボタンをタッチすると、このモードに従った画像処理が行なわれる。そして、利用者が「明るさ調整画面」内に表示されている「選択終了」ボタンに触れるか、所定時間が経過すると、「明るさ調整画面」の表示終了が判断される。
【０２３１】
なお、本実施例では、Ｓ１１４において二段階の明るさ調整を行い（ライティングモードの調整）、Ｓ１３９において五段階の明るさ調整を行っている（画像処理）。したがって、全体処理として、プリント紙４８上に出力する静止画像の明るさを十段階で調整することが可能である。
【０２３２】
「明るさ調整画面」の表示終了が判断されると（Ｓ１４０，Ｙｅｓ）、図２９に示す「落書き移動画面」が撮影処理用タッチパネル１３に表示される（Ｓ１４１）。この「落書き移動画面」とは、利用者に対し編集空間Ｒ２への移動を促すための画面である。これにより、撮影モードとして「美人モード」が選択された場合の撮影処理が終了する。
【０２３３】
以上のように、撮影モードとして「美人モード」が選択された場合、単色カーテンを背景として利用者を撮影した撮影動画像から、利用者の指定するタイミングで静止画像が設定されることになる。さらに、後の印刷処理において、この静止画像に基づいた画像がプリント紙４８上に出力される。つまり、本実施例の写真プリント装置１では、単に撮影動画像と装飾動画像とを合成した合成動画像を表示するのみならず、撮影動画像のみの表示も可能であり、また、撮影動画像から設定した静止画像をプリント紙４８上に出力することも可能である。
【０２３４】
また、本実施例の写真プリント装置１では、照明装置１７ａ・１７ｂが発光するストロボ光の明るさ（ライティング）を調整するのみならず、取得した静止画像に対して明るさに関する画像処理を行っているため、よりきめ細かな明るさ調整が可能となる。
【０２３５】
さらに、本実施例の写真プリント装置１では、利用者の好みに応じて、予め用意されている背景カーテンの中から所望の背景カーテンを選択できる。したがって、背景カーテンの選択の自由度をより高めたサービスを提供することが可能となる。
【０２３６】
つぎに、図２０のフローチャートを参照して、撮影モードとしての「超夢色モード」の処理の流れを説明する。
【０２３７】
上記Ｓ１１７において、利用者が「超夢色モード」を示すボタンに触れると、図３６に示す「カーテン選択画面」が撮影処理用タッチパネル１３に表示される（Ｓ１５０）。この「カーテン選択画面」とは、撮影時における利用者の背景となる単色カーテンの色を選択するための画面である。このＳ１５０において、利用者は、「カーテン選択画面」に表示されている各色のボタンから、所望する色のボタンに触れることにより、所望の色のカーテンを選択できる。また、Ｓ１５０においては、カーテンの色を一つ選択できるようになっている。なお、所定時間内に、利用者によるカーテンの選択がない場合、カーテンの色は、制御装置４１により自動選択される。
【０２３８】
さらに、図３６に示す「グラデーションでキレイに撮れるよ」に属する各色が選択されると、写真撮影時において、背景ユニット３のストロボを発光させる。これにより、利用者の背景となるカーテンに濃淡（グラデーションの変化）を加えることができ、プリント紙４８上に出力される画像に高級感をあたえることができる。
【０２３９】
「カーテン選択画面」の表示から所定時間経過後、または利用者によるカーテンの選択が終了すると、「カーテン選択画面」の表示終了が判断される（Ｓ１５１，Ｙｅｓ）。
【０２４０】
その後、図３７に示す「夢選択画面（装飾用動画像選択画面）」が撮影処理用タッチパネル１３に表示される（Ｓ１５２）。この「夢選択画面」とは、利用者が撮影されている撮影動画像に対し、合成される装飾動画像を選択するための画面である。
【０２４１】
このＳ１５２において、利用者は、「夢選択画面」に表示されている各テーマを示すボタンのうち、所望するテーマのボタンに触れることにより、所望のテーマを表現する装飾動画像を選択できる。また、Ｓ１５２では、上記テーマを一つ選択できるようになっている。なお、選択されるテーマに応じて、フロントスピーカ１８ａ、１８ｂから出力されるＢＧＭを変更してもよい。このようにすれば、選択されたテーマに合ったＢＧＭを利用者に視聴させることができ、利用者は、視覚のみならず聴覚によってもテーマの内容を体感することができる。
【０２４２】
そして、所望するテーマの選択がなされるか、所定時間が経過すると、「夢選択画面」の表示の終了が判断される（Ｓ１５３，Ｙｅｓ）。なお、「夢選択画面」表示中において、利用者がテーマを選択しなかった場合、デフォルト設定されているテーマが一つ自動選択される。
【０２４３】
「夢選択画面」の表示の終了後、図３８に示す「撮影画面」が撮影処理用タッチパネル１３に表示される（Ｓ１５４）。この「撮影画面」には、Ｓ１５０にて選択されたカーテンを背景として利用者を撮影した撮影動画像と、Ｓ１５２にて選択されたテーマを表現した装飾動画像とを合成したライブビューがリアルタイムで表示されていると共に、撮影ボタンが表示されている。なお、このライブビューは、ライブビュー表示パネル１４にも表示されている。
【０２４４】
この「撮影画面」内の左側に位置する丸ボタンは、撮影ボタンである。利用者が「撮影ボタン」に触れると、カウントダウンが始まる。そして、カウントダウン終了のタイミングで、ライブビュー表示パネル１４または「撮影画面」に表示されているライブビューから静止画像が設定される。このようにして、撮影動画像と装飾動画像とを合成した合成動画像から静止画像を設定される。そして、後の印刷処理では、ここで設定された静止画像に基づいて、プリント紙４８上に画像を出力する。
【０２４５】
写真撮影が２回行なわれたと判断されると（Ｓ１５５，Ｙｅｓ）、図３９に示す「撮影確認画面」が撮影処理用タッチパネル１３に表示される（Ｓ１５６）。この「撮影確認画面」とは、写真撮影された画像を累積して表示するための画面である。
【０２４６】
なお、図３９では、写真撮影された八つの画像が累積表示され、この累積表示されている八つ画像のうち、利用者がタッチした画像のみ拡大表示されている。この拡大表示によって、利用者は所望の画像について詳細に確認することができる。なお、「夢色モード」では、全ての写真撮影が縦画角で行なわれている。
【０２４７】
つぎに、所定の最大撮影時間が経過したか否かが判定される（Ｓ１５７）。最大撮影時間を経過している場合（Ｓ１５７，Ｙｅｓ）、図４０に示す「画像選択画面」が撮影処理用タッチパネル１３に表示される（Ｓ１５９）。
【０２４８】
また、最大撮影時間を経過していない場合（Ｓ１５７，Ｎｏ）、Ｓ１５０〜Ｓ１５６の実行回数が判定される（Ｓ１５８）。Ｓ１５０〜Ｓ１５６の実行回数が４回である場合（Ｓ１５８，Ｙｅｓ）、図４０に示す「画像選択画面」が撮影処理用タッチパネル１３に表示される（Ｓ１５９）。一方、Ｓ１５０〜Ｓ１５６の実行回数が４回未満である場合（Ｓ１５８，Ｎｏ）、図３６に示す「カーテン選択画面」が撮影処理用タッチパネル１３に再表示される（Ｓ１５０）。そして、再び、Ｓ１５０〜Ｓ１５６の処理が繰り返される。
【０２４９】
つまり、利用者は、所定の最大撮影時間内であれば、Ｓ１５０〜Ｓ１５６の処理を最大で４回まで繰り返すことができる。さらに、Ｓ１５４では写真撮影が２回行なわれるため、最大で８回の写真撮影が可能となる。なお、図４０の「撮影確認画面」は、以上のようにして写真撮影が８回行なわれた後の確認画面である。
【０２５０】
つぎに、Ｓ１５９における「画像選択画面」について説明する。この画面では、これまでの処理で写真撮影された静止画像が表示される。そして、利用者が、プリントを所望する静止画像にタッチすると、タッチされた静止画像は、プリント紙４８上に出力される静止画像として選択される。なお、本実施例の写真プリント装置１によれば、プリントする静止画像を四個まで選択できる。
【０２５１】
そして、利用者はプリントする静止画像の選択を終了すると、「画像選択画面」内の右上に表示されている「選択終了ボタン」にタッチする。これにより、「画像選択画面」の表示終了が判断される。
【０２５２】
また、利用者がプリントする静止画像の選択をしない場合であっても、所定時間が経過すると「画像選択画面」の表示の終了が判断される。この場合、選択する静止画像がちょうど４個になるように、残りの静止画像が自動決定される。なお、この自動決定において、撮影された順に静止画像を選択するように制御されてもよい。
【０２５３】
「画像選択画面」の表示の終了が判断されると（Ｓ１６０，Ｙｅｓ）、図２９に示す「落書き移動画面」が撮影処理用タッチパネル１３に表示される（Ｓ１６１）。この「落書き移動画面」とは、「落書きコーナー」への移動を利用者に促すための画面である。これにより、撮影モードとして「超夢色モード」が選択された場合の撮影処理が終了する。
【０２５４】
以上のように、撮影モードとして「超夢色モード」が選択された場合、単色カーテンを背景として利用者を撮影した撮影動画像と、この撮影動画像に対してさらに背景または前影となる装飾動画像とを合成した合成動画像がライブビューとして表示される。そして、この合成動画像から、利用者の指定するタイミングで静止画像が設定されることになる。さらに、後の印刷処理において、この静止画像に基づいた画像がプリント紙４８上に出力される。
【０２５５】
このように、本実施例における写真プリント装置１では、利用者の選択したカーテンおよび装飾動画像と、撮影動画像とを合成してライブビュー表示している。ここで、装飾動画像によって表現されるテーマとカーテンの色とを上手に組み合わせると、上記テーマにより表現される環境をよりリアルに疑似構築できる。例えば、装飾動画像のテーマが「海の中」である場合、この装飾動画像と組み合わせるカーテンの色は「ブルー」が好ましく、装飾動画像のテーマが「草原」の場合、この装飾動画像と組み合わせるカーテンの色は「グリーン」が好ましい。また、装飾動画像のテーマが「しゃぼん玉」である場合、カーテンの色を「ピンク」にすると、幻想的な空間を表現できる。
【０２５６】
以上、本発明の一実施例を説明したが、本発明はこの実施例に限定されるものではなく、請求項に示した範囲で種々の変更が可能である。
【産業上の利用可能性】
【０２５７】
本発明は、利用者を撮影した画像をプリント媒体上に出力し、また、この画像に編集処理を施すことの可能な写真プリント装置に利用できる。なお、この写真プリント装置は、例えば、ゲームセンター、遊園地等の遊戯場に配置されているものである。
【図面の簡単な説明】
【０２５８】
【図１】本発明の一実施形態の写真プリント装置に備えられている撮影画像処理部の各構成要素を示すブロック図である。
【図２】本発明の一実施形態の写真プリント装置を示した図であり、（ａ）は側面図、（ｂ）は上面図、（ｃ）は斜視図である。
【図３】図２の写真プリント装置の装置本体を示した図であり、撮影空間側からみた斜視図である。
【図４】図２の写真プリント装置の装置本体を示した図であり、編集空間側からみた斜視図である。
【図５】図２の写真プリント装置で撮影された撮影動画像と装飾動画像とを合成した合成動画像の例を示した図である。
【図６】図５の合成動画像から取得した各静止画像に対し、落書き等の編集処理を施した画像を示した図である。
【図７】図２の写真プリント装置の撮影空間、編集空間、お楽しみ空間を示した模式図である。
【図８】図２の写真プリント装置における各構成要素の機能を示したブロック図である。
【図９】図１、図８に示す撮影画像処理部の処理の流れを示したフローチャートである。
【図１０】本発明のその他の実施形態における撮影画像処理部の各構成要素を示すブロック図である。
【図１１】図１０の撮影画像処理部の処理の流れを示したフローチャートである。
【図１２】本発明のさらに他の実施形態における撮影画像処理部の各構成要素を示すブロック図である。
【図１３】図１２の撮影画像処理部が行う「装飾動画透過度調整」の処理の流れを示したフローチャートである。
【図１４】図１２の撮影画像処理部が行う「装飾動画像消去」の処理の流れを示したフローチャートである。
【図１５】本発明の一実施例の写真プリント装置における全体処理の流れを示すフローチャートである。
【図１６】図１５の写真プリント装置における編集用画面の一例を示した図である。
【図１７】図１５の写真プリント装置の撮影処理用タッチパネルに表示される画像の順序を示したフローチャートである。
【図１８】図１５の写真プリント装置において、「夢色モード」が選択された場合、撮影処理用タッチパネルに表示される画像の順序を示したフローチャートである。
【図１９】図１５の写真プリント装置において、「美人モード」が選択された場合、撮影処理用タッチパネルに表示される画像の順序を示したフローチャートである。
【図２０】図１５の写真プリント装置において、「超夢色モード」が選択された場合、撮影処理用タッチパネルに表示される画像の順序を示したフローチャートである。
【図２１】図１７のＳ１１１において表示されるデモ画面の一例を示す図である。
【図２２】図１７のＳ１１３において表示されるタッチパネル操作説明画面の一例を示す図である。
【図２３】図１７のＳ１１４において表示される明るさ選択画面の一例を示す図である。
【図２４】図１７のＳ１１６において表示される撮影モード選択画面の一例を示す図である。
【図２５】図１８のＳ１２０において表示される装飾用動画像選択画面の一例を示す図である。
【図２６】図１８のＳ１２２において表示される撮影画面の一例を示す図である。
【図２７】図１８のＳ１２４において表示される確認用画面の一例を示す図である。
【図２８】図１８のＳ１２７において表示される画像選択画面の一例を示す図である。
【図２９】図１５の写真プリント装置において、撮影処理用タッチパネルに表示される落書き移動画面の一例を示す図である。
【図３０】図１９のＳ１３０において表示されるカーテン選択画面の一例を示す図である。
【図３１】図１９のＳ１３２において表示される撮影画面の一例を示す図である。
【図３２】図１９のＳ１３４において表示される確認用画面の一例を示す図である。
【図３３】図１９のＳ１３７において表示される画像選択画面の一例を示す図である。
【図３４】図１９のＳ１３９において表示される明るさ調整画面の一例を示す図である。
【図３５】図１９のＳ１３９において表示される明るさ調整画面のその他の例を示す図である。
【図３６】図２０のＳ１５０において表示されるカーテン選択画面の一例を示す図である。
【図３７】図２０のＳ１５２において表示される装飾用動画像選択画面の一例を示す図である。
【図３８】図２０のＳ１５４において表示される撮影画面の一例を示す図である。
【図３９】図２０のＳ１５６において表示される確認用画面の一例を示す図である。
【図４０】図２０のＳ１５９において表示される画像選択画面の一例を示す図である。
【符号の説明】
【０２５９】
１    写真プリント装置
１２    カメラユニット（撮影手段）
１３    撮影処理用タッチパネル（表示手段）
１３ａ  表示部（表示手段）
１３ｂ  操作部（入力インターフェイス手段）
１４    ライブビュー表示パネル（表示手段）
４１    制御装置（制御手段）
４６    プリンタ（画像出力手段）
４８    プリント紙（プリント媒体）
５０    撮影画像処理部
５１    編集画像処理部
５２    記憶部
５３    印刷制御部（画像出力制御手段）
６１    動画選択部（装飾動画像選択手段）
６２    表示制御部（表示制御手段）
６３    静止画像取得部（静止画像取得手段）
６４    静止画像記憶制御部（静止画像記憶制御手段）
６５    動画パターン記憶部（動画パターン記憶手段）
６６    静止画像記憶部（静止画像記憶手段）
１００  撮影画像処理部
１０１  領域検出部（領域検出手段）
１０２  装飾動画制御部（装飾動画像制御手段）
１０３  表示制御部（表示制御手段）
１０４  静止画像取得部（静止画像取得手段）
１０５  静止画像記憶制御部（静止画像記憶制御手段）
１０６  人数算出部（人数算出手段）
１０７  動画パターン変更部（装飾動画像変更手段）
１２０  記憶部
１２１  動画パターン記憶部（動画パターン記憶手段）
１２２  静止画像記憶部（静止画像記憶手段）
１５０  撮影画像処理部
１５１  領域検出部（領域検出手段）
１５２  装飾動画制御部（装飾動画像制御手段）
１５３  表示制御部（表示制御手段）
１５４  静止画像取得部（静止画像取得手段）
１５５  静止画像記憶制御部（静止画像記憶制御手段）
１５６  装飾動画透過度制御部（動画像透過度制御手段）
１５７  装飾動画消去制御部（動画消去制御手段）
１５８  動画選択部（装飾動画像選択手段）
１７０  記憶部
１７１  動画パターン記憶部（動画パターン記憶手段）
１７２  静止画像記憶部（静止画像記憶手段）
【図１】
2005192048.tif 000003
【図２】
2005192048.tif 000004
【図３】
2005192048.tif 000005
【図４】
2005192048.tif 000006
【図５】
2005192048.tif 000007
【図６】
2005192048.tif 000008
【図７】
2005192048.tif 000009
【図８】
2005192048.tif 000010
【図９】
2005192048.tif 000011
【図１０】
2005192048.tif 000012
【図１１】
2005192048.tif 000013
【図１２】
2005192048.tif 000014
【図１３】
2005192048.tif 000015
【図１４】
2005192048.tif 000016
【図１５】
2005192048.tif 000017
【図１６】
2005192048.tif 000018
【図１７】
2005192048.tif 000019
【図１８】
2005192048.tif 000020
【図１９】
2005192048.tif 000021
【図２０】
2005192048.tif 000022
【図２１】
2005192048.tif 000023
【図２２】
2005192048.tif 000024
【図２３】
2005192048.tif 000025
【図２４】
2005192048.tif 000026
【図２５】
2005192048.tif 000027
【図２６】
2005192048.tif 000028
【図２７】
2005192048.tif 000029
【図２８】
2005192048.tif 000030
【図２９】
2005192048.tif 000031
【図３０】
2005192048.tif 000032
【図３１】
2005192048.tif 000033
【図３２】
2005192048.tif 000034
【図３３】
2005192048.tif 000035
【図３４】
2005192048.tif 000036
【図３５】
2005192048.tif 000037
【図３６】
2005192048.tif 000038
【図３７】
2005192048.tif 000039
【図３８】
2005192048.tif 000040
【図３９】
2005192048.tif 000041
【図４０】
2005192048.tif 000042